(57)【要約】【課題】１層の塗布層で、反射防止性に優れ、大量生産性に適し、干渉斑の問題も改善した光学フィルムを提供すること。【解決手段】透明プラスチックフィルム基材上に形成された硬化層中の表面側に低屈折率微粒子が偏在し、基材側に高屈折率微粒子が偏在している光学フィルムとする。低屈折率微粒子として、化学修飾により表面自由エネルギーを低下させたものを用い、高屈折率微粒子としてバインダー樹脂のみを硬化させて形成した硬化膜の表面よりも表面自由エネルギーが高いものを用い、基材上に硬化性組成物を塗布後、低屈折率微粒子を浮上、高屈折率微粒子を沈降させた後、硬化するようにして、硬化層を形成する。また、低屈折率微粒子をシリカ微粒子とすることで耐擦傷性に優れ、高屈折率微粒子を導電性微粒子とすることでゴミ付着防止性の優れたものとなる。【選択図】なし【特許請求の範囲】
【請求項１】
透明プラスチックフィルム基材上に、低屈折率微粒子と高屈折率微粒子とバインダーとを含有する硬化層が形成されてなり、該硬化層の表面側に低屈折率微粒子が偏在し、基材側に高屈折率微粒子が偏在していることを特徴とする光学フィルム。
【請求項２】
前記低屈折率微粒子の屈折率が１．５０以下であることを特徴とする請求項１に記載の光学フィルム。
【請求項３】
前記高屈折率微粒子の屈折率が１．６０以上であることを特徴とする請求項１〜２の何れかに記載の光学フィルム。
【請求項４】
前記硬化層全層中の低屈折率微粒子の平均充填率（Ａ）に対する、硬化層の表面側１００ｎｍ膜厚中の低屈折率微粒子の平均充填率（Ｂ）の比率である［（Ｂ／Ａ）×１００］が１５０％以上であることを特徴とする請求項１〜３の何れかに記載の光学フィルム。
【請求項５】
前記硬化層全層中の高屈折率微粒子の平均充填率（Ｃ）に対する、硬化層の基材側１００ｎｍ膜厚中の高屈折率微粒子の平均充填率（Ｄ）の比率である［（Ｄ／Ｃ）×１００］が１５０％以上であることを特徴とする請求項１〜４の何れかに記載の光学フィルム。
【請求項６】
前記低屈折率微粒子の表面が化学修飾により表面自由エネルギーを低下させていることを特徴とする請求項１〜５の何れかに記載の光学フィルム。
【請求項７】
前記低屈折率微粒子の表面が、バインダー樹脂のみを硬化させて形成した硬化膜の表面よりも表面自由エネルギーが低くなるように化学表面修飾されていることを特徴とする請求項６に記載の光学フィルム。
【請求項８】
前記低屈折率微粒子がシリカ微粒子であることを特徴とする請求項１〜７の何れかに記載の光学フィルム。
【請求項９】
前記低屈折率微粒子が中空シリカ微粒子であることを特徴とする請求項１〜８の何れかに記載の光学フィルム。
【請求項１０】
前記高屈折率微粒子の表面が、バインダー樹脂のみを硬化させて形成した硬化膜の表面よりも表面自由エネルギーが高いことを特徴とする請求項１〜９の何れかに記載の光学フィルム。
【請求項１１】
前記高屈折率微粒子が導電性微粒子であることを特徴とする請求項１〜１０の何れかに記載の光学フィルム。
【請求項１２】
前記透明プラスチックフィルム基材が硬化性組成物を塗布する前に表面自由エネルギーを上昇させる処理を行ったものであることを特徴とする請求項１〜９の何れかに記載の光学フィルム。
【請求項１３】
前記硬化層が、透明プラスチックフィルム上に硬化性組成物を塗布後、硬化するまでの間に低屈折率微粒子を浮上、高屈折率微粒子を沈降させた後、硬化することで形成されることを特徴とする請求項１〜１２の何れかに記載の光学フィルム。
【請求項１４】
前記硬化層の平均膜厚が１．０〜２０．０μｍであることを特徴とする請求項１〜１３の何れかに記載の光学フィルム。
【請求項１５】
請求項１〜１４の何れかに記載の光学フィルムを、偏光膜の保護フィルムの少なくとも一方に用いたことを特徴とする偏光板。
【請求項１６】
請求項１〜１４の何れかに記載の光学フィルムを偏光膜の保護フィルムの一方に、光学異方性のある光学補償フィルムを偏光膜の保護フィルムのもう一方に用いたことを特徴とする偏光板。
【請求項１７】
請求項１〜１４の何れかに記載の光学フィルム、または請求項１５〜１６の何れかに記載の偏光板が画像表示面に配置されていることを特徴とする画像表示装置。
【請求項１８】
画像表示装置が、ＴＮ、ＳＴＮ、ＩＰＳ、ＶＡ及びＯＣＢの何れかのモードの透過型、反射型又は半透過型の液晶表示装置であることを特徴とする請求項１７に記載の画像表示装置。
【発明の詳細な説明】
【技術分野】
【０００１】
本発明は、低屈折率微粒子の上部偏在および高屈折率微粒子の下部偏在により形成された光学フィルム、並びにそのような光学フィルムを用いた偏光板及び画像表示装置に関する。とりわけ、表面修飾により表面自由エネルギーを低下した低屈折率微粒子と表面自由エネルギーの高い高屈折率微粒子と硬化性樹脂を含んでなる硬化性組成物より形成された反射防止性ハードコートフィルムと、それを用いた偏光板及び画像表示装置に関する。
【背景技術】
【０００２】
反射防止フィルムは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような様々な画像表示装置において、外光の反射や像の映り込みによるコントラスト低下を防止するために、ディスプレイの表面に配置される。そのため、反射防止フィルムには高い反射防止性能の他に、高い透過率、高い物理強度（耐擦傷性など）が要求される。
【０００３】
反射防止フィルムに用いる反射防止層は、従来から単層又は多層の薄膜を形成することが行われてきた。単層の場合は、基材よりも低屈折率を有する層（低屈折率層）を光学膜厚で設計波長の１／４の膜厚で形成すればよく、さらに低反射化が必要な場合には、基材と低屈折率を有する層との間に、基材よりも屈折率の高い層（高屈折率層）を形成すればよいことが知られている。
【０００４】
このような反射防止フィルムは、金属酸化物の透明薄膜を積層させた多層膜が従来から広く用いられている。金属酸化物の透明薄膜は、化学蒸着（ＣＶＤ）法や物理蒸着（ＰＶＤ）法、特に物理蒸着法の一種である真空蒸着法により形成することが通常に行われてきた。
【０００５】
このような反射防止フィルムは、湿式塗工法によっても形成することができる。真空蒸着法に比べ、大量生産、低コスト化に適しているため、湿式塗工法によるＲｏｌｌ  Ｔｏ  Ｒｏｌｌでの反射防止膜の形成が近年ではより広く用いられている。この湿式塗工法による反射防止フィルムの需要拡大に伴い、更に低コストで多機能を有する反射防止フィルムの生産方法の開発が強く望まれている。
【０００６】
透明プラスチックフィルムを基材として反射防止フィルムを作成する場合、プラスチックフィルムの物理強度を補うために、膜厚が１〜１０μｍ程度のハードコート層を基材上に形成した後に、反射防止層を形成する構成が用いられる。
そのため、湿式塗工法を用いて反射防止フィルムを作成する場合、硬化性組成物を塗布、乾燥、硬化を少なくとも２回以上繰り返すことが必要であり、生産性を著しく低下させ、湿式塗工法においても更なる低コスト化の妨げとなっている。
【０００７】
近年、ゴミ付き防止のために帯電防止性を付与する要求、画像品位を高めるために干渉斑（むら）防止性の付与の要求が高まっており、これらの要求に応えるためには、ハードコート層と基材の間に帯電防止層や特許文献１に示されるような干渉斑防止層を設ける必要があり、塗布、乾燥、硬化を３回繰り返すことが必要であり、生産性を著しく低下させる。
【０００８】
加えて、この塗布方式は下層を硬化した後に未硬化の層を積み上げる方法であり、下層は既に硬化により固定化し、かつ、下層の反応性基は既に硬化時に消費してしまっているため、上層と化学結合を作り難い。そのため、層間密着性を確保することが難しい。耐擦傷性は反射防止層の層間密着性と深く関連しており、高い耐擦傷性を得るためには充分な層間密着性を得ることが不可欠である。先にも触れたように耐擦傷性の要求は近年、急速に高まっており、層間密着性を確保し、高い耐擦傷性を得ることは極めて重要な課題である。
【０００９】
このような問題を解決するために生産性の観点では特許文献２に多層塗膜の製造装置が開示されている。このような製造装置を用いることで生産性向上に関しては一定の成果が上げられる。しかしながら、このような方法を実現するためには高額な設備投資が必要である。また、光ラジカル硬化系樹脂で塗膜を形成する場合、酸素による硬化阻害を防止するために、窒素パージが必要であり、３層を別々に形成するこの方法は従来通り３度窒素パージを行わなければならず、ランニングコストの点でも改良されていない。更に、性能の観点では、このような塗布方式でも層を一層ずつ積み上げる塗布方式であるため、層間密着性の問題が残る。
【００１０】
ところで、特許文献３〜５には、１つの塗布液から形成した層に２層の機能を持たせたフィルムが開示されている。しかし、１層の塗布層に実質的に３層の機能を持たせたフィルムはこれまで開示されていなかった。
【特許文献１】特開２００４−３４５３３３号公報
【特許文献２】特開２００３−２０５２６４号公報
【特許文献３】特開２０００−５３９２１号公報
【特許文献４】特開２００４−３５９９３０号公報
【特許文献５】特開２００４−３４３９９号公報
【発明の開示】
【発明が解決しようとする課題】
【００１１】
本発明の目的は、１層の塗布層に実質的に３層の機能を持たせることができ、反射防止性が高く、大量生産性に適した光学フィルムを提供することであり、耐擦傷性に優れ、帯電防止性及び／又は干渉ムラ防止性に優れた光学フィルムを提供することである。更には、該光学フィルムを具備した偏光板および画像表示装置を提供することである。
【課題を解決するための手段】
【００１２】
本発明者は、鋭意検討の結果、表面修飾により表面自由エネルギーを低下した低屈折率微粒子と表面自由エネルギーの高い高屈折率微粒子と硬化性樹脂とを含有した硬化性組成物を透明プラスチックフィルム基材上に塗布後、硬化するまでの間に低屈折率微粒子を塗布層の表面側に偏在させ、高屈折率微粒子を基材側に偏在させることにより、実質的に３層の機能を有した反射防止フィルムを形成することができ、反射防止性に優れ、大量生産性に適し、更には、耐擦傷性に優れ、帯電防止性及び／又は干渉斑防止性に優れた、反射防止性ハードコートフィルムを作成できることを見出した。
【００１３】
すなわち、本発明者は、以下の各構成により、上記目的を達成したものである。
１．透明プラスチックフィルム基材上に、低屈折率微粒子と高屈折率微粒子とバインダーとを含有する硬化層が形成されてなり、該硬化層の表面側に低屈折率微粒子が偏在し、基材側に高屈折率微粒子が偏在していることを特徴とする光学フィルム。
２．前記低屈折率微粒子の屈折率が１．５０以下であることを特徴とする上記１に記載の光学フィルム。
３．前記低屈折率微粒子の屈折率が１．４６以下であることを特徴とする上記１に記載の光学フィルム。
４．前記低屈折率微粒子の屈折率が１．４３以下であることを特徴とする上記１に記載の光学フィルム。
５．前記高屈折率微粒子の屈折率が１．６０以上であることを特徴とする上記１〜４の何れかに記載の光学フィルム。
６．前記高屈折率微粒子の屈折率が１．７０以上であることを特徴とする上記１〜４の何れかに記載の光学フィルム。
７．前記高屈折率微粒子の屈折率が１．８０以上であることを特徴とする上記１〜４の何れかに記載の光学フィルム。
【００１４】
８．前記硬化層全層中の低屈折率微粒子の平均充填率（Ａ）に対する、硬化層の表面側１００ｎｍ膜厚中の低屈折率微粒子の平均充填率（Ｂ）の比率である［（Ｂ／Ａ）×１００］が１５０％以上であることを特徴とする上記１〜７の何れかに記載の光学フィルム。
９．前記［（Ｂ／Ａ）×１００］が２００％以上であることを特徴とする上記１〜８の何れかに記載の光学フィルム。
１０．前記［（Ｂ／Ａ）×１００］が３００％以上であることを特徴とする上記１〜９の何れかに記載の光学フィルム。
１１．前記硬化層全層中の高屈折率微粒子の平均充填率（Ｃ）に対する、硬化層の基材側１００ｎｍ膜厚中の高屈折率微粒子の平均充填率（Ｄ）の比率である［（Ｄ／Ｃ）×１００］が１５０％以上であることを特徴とする上記１〜１０何れかに記載の光学フィルム。
１２．前記［（Ｄ／Ｃ）×１００］が２００％以上であることを特徴とする上記１〜１０の何れかに記載の光学フィルム。
１３．前記［（Ｄ／Ｃ）×１００］が３００％以上であることを特徴とする上記１〜１０の何れかに記載の光学フィルム。
【００１５】
１４．前記低屈折率微粒子の表面が化学修飾により表面自由エネルギーを低下させていることを特徴とする上記１〜１３に記載の光学フィルム。
１５．前記低屈折率微粒子の表面が、バインダー樹脂のみを硬化させて形成した硬化膜の表面よりも表面自由エネルギーが低くなるように化学表面修飾されていることを特徴とする上記１〜１４の何れかに記載の光学フィルム。
１６．前記低屈折率微粒子の表面自由エネルギーが、バインダー樹脂のみを硬化させて形成した硬化膜の表面よりも２ｍＮ／ｍ以上低いことを特徴とする上記１５に記載の光学フィルム。
１７．前記低屈折率微粒子の表面自由エネルギーが、バインダー樹脂のみを硬化させて形成した硬化膜の表面よりも５ｍＮ／ｍ以上低いことを特徴とする上記１５に記載の光学フィルム。
１８．パーフルオロアルキル基及び／又はシリコーン基を含む有機化合物が前記低屈折率微粒子の表面に固定されてなることを特徴とする上記１〜１７の何れかに記載の光学フィルム。
【００１６】
１９．前記低屈折率微粒子の表面が下記一般式（III）で表されるオルガノシラン化合物で表面修飾されていることを特徴とする上記１８に記載の光学フィルム。
一般式（III）
(Ｒｆ−Ｌ1)ｎ−Ｓｉ(Ｒ11)n-4
上記式中、Ｒｆは炭素数１〜２０の、直鎖、分岐または環状の含フッ素アルキル基、または炭素数６〜１４の含フッ素芳香族基を表す。Ｌ1は炭素数１０以下の２価の連結基を表す。ｎは１〜３の整数を表す。Ｒ11は水酸基または加水分解可能な基を表す。
２０．前記低屈折率微粒子の表面が下記一般式（IV）で表されるオルガノシラン化合物で表面修飾されていることを特徴とする上記１８または１９に記載の光学フィルム。
一般式（IV）
ＣnＦ2n+1−(ＣＨ2)m−Ｓｉ(Ｒ)3
上記式中、ｎは１〜１０の整数、ｍは１〜５の整数を表す。Ｒは炭素数１〜５のアルコキシ基またはハロゲン原子を表す。
２１．前記低屈折率微粒子の表面が下記一般式（Ｖ）で表されるオルガノシラン化合物で表面修飾されていることを特徴とする上記１８〜２０の何れかに記載の光学フィルム。
一般式（Ｖ）
(ＣＨ3)3Ｓｉ−(Ｏ−Ｓｉ(ＣＨ3)2)n1−(ＣＨ2)n2−Ｓｉ(Ｒ12)3
上記式中ｎ１は１〜５０の整数を表す。ｎ２は０〜１７の整数を表す。Ｒ12は炭素数１〜５のアルコキシ基またはハロゲン原子を表す。
【００１７】
２２．前記低屈折率微粒子が二酸化ケイ素（シリカ）、フッ化マグネシウム、フッ化カルシウム、フッ化バリウムの何れかであることを特徴とする上記１〜２１の何れかに記載の光学フィルム。
２３．前記低屈折率微粒子がシリカ微粒子であることを特徴とする上記１〜２２の何れかに記載の光学フィルム。
２４．前記低屈折率微粒子が中空シリカ微粒子であることを特徴とする上記１〜２３の何れかに記載の光学フィルム。
２５．前記低屈折率微粒子の平均粒径が１２０ｎｍ以下であることを特徴とする上記１〜２４の何れかに記載の光学フィルム。
２６．前記低屈折率微粒子の平均粒径が１００ｎｍ以下であることを特徴とする上記１〜２４の何れかに記載の光学フィルム。
２７．前記低屈折率微粒子の平均粒径が８０ｎｍ以下であることを特徴とする上記１〜２４の何れかに記載の光学フィルム。
【００１８】
２８．前記高屈折率微粒子の表面が、バインダー樹脂のみを硬化させて形成した硬化膜の表面よりも表面自由エネルギーが高いことを特徴とする上記１〜２７の何れかに記載の光学フィルム。
２９．前記高屈折率微粒子の表面自由エネルギーが、バインダー樹脂のみを硬化させて形成した硬化膜の表面よりも２ｍＮ／ｍ以上高いことを特徴とする上記２８に記載の光学フィルム。
３０．前記高屈折率微粒子の表面自由エネルギーが、バインダー樹脂のみを硬化させて形成した硬化膜の表面よりも５ｍＮ／ｍ以上高いことを特徴とする上記２９に記載の光学フィルム。
【００１９】
３１．前記高屈折率微粒子が導電性微粒子であることを特徴とする上記１〜３０の何れかに記載の光学フィルム。
【００２０】
３２．前記透明プラスチックフィルム基材が硬化性組成物を塗布する前に表面自由エネルギーを上昇させる処理を行ったものであることを特徴とする上記１〜３１の何れかに記載の光学フィルム。
【００２１】
３３．前記硬化層が、透明プラスチックフィルム上に硬化性組成物を塗布後、硬化するまでの間に低屈折率微粒子を浮上、高屈折率微粒子を沈降させた後、硬化することで形成されることを特徴とする上記１〜３２の何れかに記載の光学フィルム。
【００２２】
３４．前記硬化層の平均膜厚が１．０〜２０．０μｍであることを特徴とする上記１〜３３の何れかに記載の光学フィルム。
３５．前記硬化層の平均膜厚が１．５〜１０．０μｍであることを特徴とする上記１〜３４の何れかに記載の光学フィルム。
３６．前記硬化層の平均膜厚が２．０〜８．０μｍであることを特徴とする上記１〜３５の何れかに記載の光学フィルム。
３７．前記硬化層表面を＃００００のスチールウールを用い、１．９６Ｎ／ｃｍ2の荷重を掛けながら１０往復擦った時に、擦り跡が目視で見えないことを特徴とする上記１〜３６の何れかに記載の光学フィルム。
【００２３】
３８．上記１〜３７の何れかに記載の光学フィルムを、偏光膜の保護フィルムの少なくとも一方に用いたことを特徴とする偏光板。
３９．上記１〜３７の何れかに記載の光学フィルムを、偏光膜の保護フィルムの一方に、光学異方性のある光学補償フィルムを偏光膜の保護フィルムのもう一方に用いたことを特徴とする偏光板。
４０．上記１〜３７の何れかに記載の光学フィルム、または上記３８〜３９の何れかに記載の偏光板が画像表示面に配置されていることを特徴とする、画像表示装置。
４１．画像表示装置が、ＴＮ、ＳＴＮ、ＩＰＳ、ＶＡ及びＯＣＢの何れかのモードの透過型、反射型又は半透過型の液晶表示装置であることを特徴とする上記４０に記載の画像表示装置。
【発明の効果】
【００２４】
本発明の光学フィルムは、硬化層の表面側に低屈折率微粒子が偏在し、基材側に高屈折率微粒子が偏在することで、１層の塗布層に実質的に２層ないし３層の機能を持たせることができ、反射防止性に優れるだけでなく、大量生産性にも適しており、干渉斑（むら）の問題も改善することができる。また、低屈折率微粒子がシリカ微粒子等の高硬度無機微粒子である場合、特に耐擦傷性に優れたものとすることができ、高屈折率微粒子が導電性微粒子である場合、ゴミ付着防止性の優れたものとすることができる。
【００２５】
また、本発明の光学フィルムを表面保護フィルムとして用いた偏光板は、光学性能、及び物理強度に優れ、安価で大量に提供することができる。
【００２６】
更に本発明の画像表示装置は、上記光学フィルム又は偏光板を備えており、反射防止性に優れ、耐擦傷性と視認性にも優れる。
【発明を実施するための最良の形態】
【００２７】
以下、本発明の光学フィルムの作成方法等について説明する。
なお、本明細書において、数値が物性値、特性値等を表す場合に、「（数値１）〜（数値２）」という記載は、「数値１以上〜数値２以下」の意味を表す。
【００２８】
本発明は、透明プラスチックフィルム基材上に、透明樹脂により形成された硬化層を有する光学フィルムにおいて、硬化層中に低屈折率微粒子と高屈折率微粒子がそれぞれ厚み方向に濃度勾配を有して含有されており、低屈折率微粒子は透明プラスチックフィルム基材とは反対の表面側の濃度が高く、表面側に偏在しており、高屈折率微粒子は基材側の濃度が高く、基材側に偏在していることを特徴とする光学フィルムに関する。
【００２９】
本発明では、硬化層の表面側に低屈折率微粒子を偏在させることで、硬化層における表面側は、見掛け上の低屈折率層（以下、「みかけ低屈折率層」という。）を形成している。また、硬化層の基材側に高屈折率微粒子を偏在させることで、硬化層における基材側は、見掛け上の高屈折率層（以下、「みかけ高屈折率層」という。）を形成している。その結果、本発明の光学フィルムは、みかけ低屈折率層、みかけ高屈折率層の反射防止効果により低反射率が確保できる。また、みかけ低屈折率層、みかけ高屈折率層は単一の硬化層から一度に形成できるため、生産効率が高く、層間密着不良の問題もない。特にバインダーにラジカル重合系を用いている場合、酸素による硬化阻害の問題があるため、その効果が大きい。また、「みかけ高屈折率層」を形成することで干渉斑の問題を改善することができる。更に低屈折率微粒子としてシリカ微粒子等の高硬度無機微粒子を用いることで表面の耐擦傷性も同時に付与することができる。また、高屈折率微粒子として導電性微粒子を用いることで帯電防止性も同時に付与することができ、ゴミ付着防止性の優れたものとすることができる。
【００３０】
＜層構成＞
本発明の光学フィルムについては以下のような公知の層構成を硬化層の構成に応用することができる。
たとえば、代表的な例としては
イ：透明プラスチックフィルム基材／（反射防止性帯電防止性ハードコート層）
ロ：透明プラスチックフィルム基材／（帯電防止層／ハードコート層／低屈折率層）
ハ：透明プラスチックフィルム基材／（干渉斑防止層／ハードコート層／低屈折率層）
がある。
ここで、（）で示したものが、本発明の硬化層である。
【００３１】
また、透明プラスチックフィルム基材と硬化層の間ないし硬化層の表面に設けても良い他の層として、ハードコート層（上記構成だけでは硬度が不足する場合）、防湿層、密着改良層等が挙げられる。
【００３２】
＜硬化層＞
［反射率を低下させる方法］
本発明では、低屈折率微粒子の表面自由エネルギーを低下させることによって、低屈折率微粒子を硬化層上部に偏在させることで、硬化層に反射防止性を付与することができる。低屈折率微粒子を表面偏在させることで厚み方向の屈折率分布を制御し、反射防止性を付与する方法として、本発明では以下の２つの方法が挙げられる。
(1) 硬化層に屈折率傾斜構造を導入する方法
(2) 硬化層表面に見掛け上の低屈折率層を導入する方法
【００３３】
(1) 硬化層に屈折率傾斜構造を導入する方法
透明な基材上に、最表面に向かって屈折率を連続的に低下させた層を設けることで、表面の反射率を低下できることが知られている。このような反射防止方法では可視光領域の広範囲に渡って反射率を低下させることができる。
本発明では低屈折微粒子の表面自由エネルギーと、硬化層形成用硬化性組成物中の溶媒の極性をコントロールし、硬化性組成物を塗布後、硬化するまでの間に低屈折率微粒子を緩やかに硬化層上部（表面側）に浮上させた後、硬化することで、このような屈折率傾斜構造を硬化層に導入することができる。
このような屈折率傾斜構造を導入するためには、硬化層の膜厚は１μｍ以上であることが好ましく、このような構造の応用例として硬化層の硬度が高くなるようにバインダーを選定することでハードコート性を付与した反射防止性ハードコート層の例が挙げられる。
【００３４】
(2) 硬化層表面に見掛け上の低屈折率層を導入する方法
ハードコート層などの硬化層上に光学膜厚がλ／４の低屈折率層を設けることで反射防止フィルムを形成できることが広く知られている。本発明では低屈折率微粒子を硬化層の上部に集中化させることで見掛け上の低屈折率層を形成することができる。低屈折率微粒子の添加量をコントロールすることで光学膜厚がλ／４にすることができる。
本発明では低屈折微粒子の表面自由エネルギーと、硬化層形成用硬化性組成物中の溶媒の極性をコントロールし、硬化性組成物を塗布後、硬化するまでの間に低屈折率微粒子を極端に硬化層上部（表面側）に浮上させた後、硬化することで、低屈折率微粒子の浮上部分とバルク領域の境界を明確にすること、更には低屈折率微粒子の添加量で膜厚を調製することで、見掛け上の低屈折率層を導入することができる。
【００３５】
［高屈折率微粒子の偏在］
本発明では、高屈折率微粒子の表面自由エネルギーを硬化層のバインダーの表面自由エネルギーよりも高くし、必要に応じて、基材の表面自由エネルギーを高くすることによって、高屈折率微粒子を基材側に偏在させることができる。
透明プラスチックフィルム基材上にハードコート層が積層されている構成において、基材とハードコート層の間に０．０３以上の屈折率差がある場合に、三波長蛍光灯下で観察される干渉斑（むら）の問題が発生する。このような問題の詳細に関しては、本発明者が特開２００４−３４５３３３号公報に詳細を記載した。
硬化層内の高屈折率微粒子を基材側に偏在させることで干渉斑の問題を改善することができる。
【００３６】
(1) 硬化層の基材側に屈折率傾斜構造を導入する方法
本発明では、高屈折率微粒子の表面自由エネルギーと、バインダーの表面自由エネルギー、基材の表面自由エネルギーをコントロールし、硬化性組成物を塗布後、硬化するまでの間に高屈折率微粒子を緩やかに硬化層下部（基材側）に沈降させた後、硬化することで、屈折率傾斜構造を硬化層に導入することができる。
本発明ではそのようにしてハードコート層（硬化層）内で基材との界面に向かって高屈折微粒子密度が上昇するように密度勾配を付けることによって、ハードコート層の屈折率が基材から徐々に変化させることができ、基材とハードコート層の界面での光反射に起因する干渉斑の発生を抑えることができる。
また、高屈折率微粒子として後述する導電性微粒子を選択することにより、導電性微粒子の集中化に伴う導電性を発現させることができ、好ましい。
【００３７】
(2) 硬化層の基材側に見掛け上の高屈折率層を導入する方法
上記、特開２００４−３４５３３３号公報に本発明者が記載したように、基材とハードコート層の間に０．０３以上の屈折率差がある場合に、発生する干渉斑の問題は、基材とハードコート層の間に両者の中間の屈折率を有し、膜厚が以下の数式（１）を満たす干渉斑防止層を設けることで改善できる。
数式（１）
ｄp＝（２Ｎ−１）×λ／（４ｎp）
ここで、λは４５０〜６５０ｎｍの範囲の何れかの値、Ｎは自然数、ｎpは干渉斑防止層の屈折率。
本発明では高屈折率微粒子を基材側に集中化させることで上記の条件を満たす、見掛け上の干渉斑防止層を形成することができる。
本発明では高屈折率微粒子の表面自由エネルギーと、バインダーの表面自由エネルギー、基材の表面自由エネルギーをコントロールし、硬化性組成物を塗布後、硬化するまでの間に高屈折率微粒子を極端に硬化層下部（基材側）に沈降させた後、硬化することにより、高屈折率微粒子の偏在領域とバルク領域の境界を明確にすることができ、見掛け上の干渉斑防止層を形成することができる。
【００３８】
なお、基材とハードコート層の間の屈折率差が０．０３以下である場合は、見掛け上の干渉斑防止層の膜厚が以下の数式（２）を満たすことが好ましい。
数式（２）
ｄp＝Ｎ×λ／（２ｎp）
ここで、λは４５０〜６５０ｎｍの範囲の何れかの値、Ｎは自然数、ｎpは干渉斑防止層の屈折率。
見掛け上の干渉斑防止層を形成する場合も、高屈折率微粒子として後述する導電性微粒子を選択することにより、導電性微粒子の集中化に伴う導電性を発現させることができ、好ましい。
【００３９】
［層内の低屈折率微粒子の分布］
本発明の光学フィルムは、基材上に低屈折率微粒子、高屈折率微粒子とバインダーを含有する組成物が塗設されて硬化層が形成されており、該硬化層全層中の低屈折率微粒子の平均粒子充填率（Ａ）に対して、硬化層の表面側（基材と反対側の上層側）１００ｎｍ膜厚中の低屈折率微粒子の平均粒子充填率（Ｂ）の比率で表される［（Ｂ／Ａ）×１００］が１５０％以上であることが好ましい。本発明における平均粒子充填率（Ａ）、（Ｂ）は、以下の方法で決定した。
光学フィルムを５０ｎｍの厚さの切片として、その断面を、透過型電子顕微鏡を用いて１５万倍の写真を５視野撮影した。層厚に対して５０倍の長さの幅にわたり粒子数をカウントし、平均粒子充填率（Ａ）は断面写真上で硬化層中の単位面積当たりの粒子数を算出した。また、硬化層の基材と反対側の上層側１００ｎｍ膜厚中の平均粒子充填率（Ｂ）も平均粒子充填率（Ａ）と同様にして算出した。また、例えば、硬化層中の上層側１００ｎｍ膜厚中に部分的に粒子が含有される場合には、断面写真上で該領域に含まれる粒子の面積の割合を乗じて粒子数を算出した。すなわち、ある粒子がその面積の７０％が上層側の１００ｎｍ膜厚中に含有される場合には０．７個にカウントするものとした。また、厚さ５０ｎｍの切片の断面写真において粒子が重なって観察される場合には、重なった分もカウントするものとした。この場合、粒子の層内分布は層面方向で方向性を有しておらず、切片として選択された特定の断面の粒子数に基づいて平均粒子充填率を求めることができる。
本発明の［（Ｂ／Ａ）×１００］の範囲は反射防止性の観点で、好ましくは１５０％以上であり、更に好ましくは２００％以上であり、最も好ましくは３００％以上である。
【００４０】
［層内の高屈折率微粒子の分布］
本発明の光学フィルムは、硬化層全層中の高屈折率微粒子の平均粒子充填率（Ｃ）に対して、硬化層の基材側１００ｎｍ膜厚中の高屈折率微粒子の平均粒子充填率（Ｄ）の比率で表される［（Ｄ／Ｃ）×１００］が１５０％以上であることが好ましい。本発明における平均粒子充填率（Ｃ）、（Ｄ）は、以下の方法で決定した。
光学フィルムを５０ｎｍの厚さの切片として、その断面を、透過型電子顕微鏡を用いて１５万倍の写真を５視野撮影した。層厚に対して５０倍の長さの幅にわたり粒子数をカウントし、平均粒子充填率（Ｃ）は断面写真上で硬化層中の単位面積当たりの粒子数を算出した。また、硬化層の基材側１００ｎｍ膜厚中の平均粒子充填率（Ｄ）も平均粒子充填率（Ｃ）と同様にして算出した。また、例えば、硬化層中の基材側１００ｎｍ膜厚中に部分的に粒子が含有される場合には、断面写真上で該領域に含まれる粒子の面積の割合を乗じて粒子数を算出した。すなわち、ある粒子がその面積の７０％が基材側の１００ｎｍ膜厚中に含有される場合には０．７個にカウントするものとした。また、厚さ５０ｎｍの切片の断面写真において粒子が重なって観察される場合には、重なった分もカウントするものとした。この場合、粒子の層内分布は層面方向で方向性を有しておらず、切片として選択された特定の断面の粒子数に基づいて平均粒子充填率を求めることができる。
本発明の［（Ｄ／Ｃ）×１００］の範囲は帯電防止及び／又は干渉斑防止性の観点で、好ましくは１５０％以上であり、更に好ましくは２００％以上であり、最も好ましくは３００％以上である。
【００４１】
＜低屈折率微粒子＞
本発明に好ましく用いることのできる低屈折率微粒子として、低屈折率無機微粒子が好ましく、二酸化ケイ素（シリカ）、含フッ素粒子（フッ化マグネシウム、フッ化アルミニウム、フッ化カルシウム、フッ化リチウム、フッ化ナトリウム、フッ化バリウム）などが好ましい。より好ましくは二酸化ケイ素（シリカ）、フッ化マグネシウム、フッ化カルシウム、フッ化バリウムであり、特に好ましいのは二酸化ケイ素（シリカ）である。
【００４２】
低屈折率微粒子の屈折率は１．５０以下が好ましく、１．４６以下であることがより好ましく、１．４３以下であることが特に好ましい。屈折率が低いほど、得られる反射防止効果が大きい。
【００４３】
低屈折率微粒子の一次粒子の質量平均粒径は、１〜１２０ｎｍであることが好ましく、１〜１００ｎｍであることがさらに好ましく、１〜８０ｎｍであることが特に好ましい。
一次粒子の質量平均粒径は電子顕微鏡写真から求めることができる。
低屈折率微粒子は硬化層形成用硬化性組成物に、より微細に分散されていることが好ましい。
低屈折率微粒子の形状は米粒状、球形状、立方体状、紡錘形状、短繊維状、リング状、中空状、あるいは不定形状であることが好ましい。球形状、不定形状、中空状であることがより好ましく、中空状であることが特に好ましい。
低屈折率微粒子は、結晶質、非晶質のいずれでも良い。
【００４４】
ケイ素酸化物粒子（例えば、シリカ粒子）分散液として市販されている商品としては、例えば、コロイダルシリカとして、日産化学工業（株）製メタノ−ルシリカゾル、ＭＡ−ＳＴ−ＭＳ、ＩＰＡ−ＳＴ、ＩＰＡ−ＳＴ−ＭＳ、ＩＰＡ−ＳＴ−Ｌ、ＩＰＡ−ＳＴ−ＺＬ、ＩＰＡ−ＳＴ−ＵＰ、ＥＧ−ＳＴ、ＮＰＣ−ＳＴ−３０、ＭＥＫ−ＳＴ、ＭＥＫ−ＳＴ−Ｌ、ＭＩＢＫ−ＳＴ、ＮＢＡ−ＳＴ、ＸＢＡ−ＳＴ、ＤＭＡＣ−ＳＴ、ＳＴ−ＵＰ、ＳＴ−ＯＵＰ、ＳＴ−２０、ＳＴ−４０、ＳＴ−Ｃ、ＳＴ−Ｎ、ＳＴ−Ｏ、ＳＴ−５０、ＳＴ−ＯＬ等、触媒化成工業（株）製中空シリカＣＳ６０−ＩＰＡ等を挙げることができる。また粉体シリカとしては、日本アエロジル（株）製アエロジル１３０、アエロジル３００、アエロジル３８０、アエロジルＴＴ６００、アエロジルＯＸ５０、旭硝子（株）製シルデックスＨ３１、Ｈ３２、Ｈ５１、Ｈ５２、Ｈ１２１、Ｈ１２２、日本シリカ工業（株）製Ｅ２２０Ａ、Ｅ２２０、富士シリシア（株）製ＳＹＬＹＳＩＡ４７０、日本板硝子（株）製ＳＧフレ−ク等を挙げることができる。
【００４５】
低屈折率微粒子が二酸化ケイ素微粒子の場合、中空の二酸化ケイ素微粒子を用いることが特に好ましい。
中空のシリカ微粒子は屈折率が１．１７〜１．４０が好ましく、更に好ましくは１．１７〜１．３５、最も好ましくは１．１７〜１．３０である。ここでの屈折率は粒子全体としての屈折率を表し、中空シリカ粒子を形成している外殻のシリカのみの屈折率を表すものではない。この時、粒子内の空腔の半径をａ、粒子外殻の半径をｂとすると、下記数式（Ｉ）で表される空隙率ｘは、好ましくは１０〜６０％、更に好ましくは２０〜６０％、最も好ましくは３０〜６０％である。
【００４６】
数式（Ｉ）
ｘ＝（４πａ3／３）／（４πｂ3／３）×１００
【００４７】
中空のシリカ粒子をより低屈折率に、より空隙率を大きくしようとすると、外殻の厚みが薄くなり、粒子の強度としては弱くなるため、耐擦傷性の観点から１．１７未満の低屈折率の粒子は成り立たない。
なお、これら中空シリカ粒子の屈折率はアッベ屈折率計（アタゴ（株）製）にて測定をおこなった。
中空シリカの製造方法は、例えば特開２００１−２３３６１１号公報や特開２００２−７９６１６号公報に記載されている。
【００４８】
中空シリカの塗布量は、１ｍｇ／ｍ2〜１００ｍｇ／ｍ2が好ましく、より好ましくは５ｍｇ／ｍ2〜８０ｍｇ／ｍ2、更に好ましくは１０ｍｇ／ｍ2〜６０ｍｇ／ｍ2である。少なすぎると、低屈折率化の効果や耐擦傷性の改良効果が減り、多すぎると、低屈折率層表面に微細な凹凸ができ、黒の締まりなどの外観や積分反射率が悪化する。
中空シリカの平均粒径は、３０ｎｍ以上１２０ｎｍ以下が好ましく、より好ましくは３５ｎｍ以上８０ｎｍ以下、更に好ましくは、４０ｎｍ以上６０ｎｍ以下である。
シリカ微粒子の粒径が小さすぎると、空腔部の割合が減り屈折率の低下が見込めず、大きすぎると低屈折率層表面に微細な凹凸ができ、黒の締まりといった外観、積分反射率が悪化する。シリカ微粒子は、結晶質でも、アモルファスのいずれでも良く、また単分散粒子が好ましい。形状は、球径が最も好ましいが、不定形であっても問題無い。
ここで、中空シリカの平均粒径は電子顕微鏡写真から求めることができる。
【００４９】
本発明においては、中空シリカと併用して空腔のないシリカ粒子を用いることができる。この場合、空腔のないシリカも中空シリカと同様の表面修飾が施されていることが好ましい。空腔のないシリカの好ましい粒子サイズは、３０ｎｍ以上１２０ｎｍ以下、更に好ましくは３５ｎｍ以上８０ｎｍ以下、最も好ましくは４０ｎｍ以上６０ｎｍ以下である。
また、平均粒径が低屈折率層の厚みの２５ｎｍ未満であるシリカ微粒子（「小サイズ粒径のシリカ微粒子」と称す）の少なくとも１種を上記の粒径のシリカ微粒子（「大サイズ粒径のシリカ微粒子」と称す）と併用することが好ましい。
小サイズ粒径のシリカ微粒子は、大サイズ粒径のシリカ微粒子同士の隙間に存在することができるため、大サイズ粒径のシリカ微粒子の保持剤として寄与することができる。
小サイズ粒径のシリカ微粒子の平均粒径は、１ｎｍ以上２０ｎｍ以下が好ましく、５ｎｍ以上１５ｎｍ以下が更に好ましく、１０ｎｍ以上１５ｎｍ以下が特に好ましい。このようなシリカ微粒子を用いると、原料コストおよび保持剤効果の点で好ましい。
【００５０】
［低屈折微粒子の表面の化学修飾］
次に、硬化層内の低屈折率微粒子の表面化学修飾について述べる。
本発明では低屈折率微粒子の表面が化学修飾により表面自由エネルギーが低下されていることが好ましく、バインダー樹脂のみを硬化させて形成した硬化膜表面の表面自由エネルギーよりも低下されていることが好ましい。
【００５１】
ここで、バインダー樹脂のみを硬化させて形成した硬化膜の表面自由エネルギーは公知の方法を用いて、硬化膜表面の水とヨウ化メチレンの接触角から見積もることができる。バインダー樹脂のみを硬化させて形成した硬化膜とは、少なくとも硬化層形成用組成物から表面に偏在する化合物を除去して形成した硬化膜を意味する。表面に偏在する可能性のある化合物とは、界面活性剤、シリコーンオイル、化学修飾により表面自由エネルギーを低下した微粒子が挙げられる。このような硬化膜は硬化層形成用組成物から微粒子などの分散物を全て除去して形成されることが好ましい。
【００５２】
このように測定される低屈折率微粒子表面の自由エネルギーとバインダー樹脂のみを硬化させて形成した硬化膜の表面自由エネルギーの差は２ｍＮ／ｍ以上であることが好ましく、５ｍＮ／ｍ以上であることがより好ましい。
【００５３】
また、低屈折率無機微粒子の表面自由エネルギーは、無機微粒子分散液から塗布後、溶媒を除去して形成した塗布膜表面または、溶剤に分散する前の無機微粒子粉体（分散液から溶剤を除去したものでも良い）を錠剤整形器で形成した錠剤表面の水とヨウ化メチレンの接触角から見積もることができる。
接触角から表面自由エネルギーを見積もる方法としては、特に制限はないが、一例として特開２００２−１４８７９２号公報の段落〔００４４〕〜〔００４７〕に記載の方法が挙げられる。
【００５４】
低屈折率微粒子表面の表面自由エネルギーを低下させるために疎水性基を含む有機化合物が低屈折率微粒子表面に固定されていることが好ましい。低屈折率無機微粒子がシリカ粒子である場合、表面のシラノール基と反応可能な置換基を有する下記一般式（Ｉ）で表されるオルガノシランを用いることもできる。
この目的のため、下記一般式（Ｉ）で表されるオルガノシランの加水分解物及び／又はその部分縮合物により表面の化学修飾がなされており、無機酸化物微粒子表面の化学修飾の際に、酸触媒および下記の金属キレート化合物のいずれか、あるいは両者が使用されることが好ましい。
【００５５】
［オルガノシラン化合物］
本発明に用いるオルガノシラン化合物について詳細に説明する。
一般式（Ｉ）
(Ｒ10)m−Ｓｉ(Ｘ)4-m
一般式（Ｉ）においてＲ10は、置換もしくは無置換のアルキル基、置換もしくは無置換のアリール基を表す。
アルキル基としてはメチル基、エチル基、プロピル基、イソプロピル基、ヘキシル基、ｔ−ブチル基、ｓｅｃ−ブチル基、ヘキシル基、デシル基、ヘキサデシル基等が挙げられる。
アルキル基として好ましくは炭素数１〜３０、より好ましくは炭素数１〜１６、特に好ましくは１〜６のものである。
アリール基としてはフェニル基、ナフチル基等が挙げられ、好ましくはフェニル基である。
【００５６】
Ｘは、水酸基または加水分解可能な基を表す。加水分解可能な基としては、例えばアルコキシ基（炭素数1〜５のアルコキシ基が好ましい。例えばメトキシ基、エトキシ基等が挙げられる）、ハロゲン原子（例えばＣｌ、Ｂｒ、Ｉ等）、およびＲ2ＣＯＯ基（Ｒ2は水素原子または炭素数１〜５のアルキル基が好ましい。例えばＣＨ3ＣＯＯ基、Ｃ2Ｈ5ＣＯＯ基等が挙げられる）が挙げられ、好ましくはアルコキシ基であり、特に好ましくはメトキシ基またはエトキシ基である。
ｍは１〜３の整数を表す。Ｒ10もしくはＸが複数存在するとき、複数のＲ10もしくはＸはそれぞれ同じであっても異なっていても良い。ｍとして好ましくは１または２であり、特に好ましくは１である。
【００５７】
Ｒ10に含まれる置換基としては特に制限はないが、ハロゲン原子（フッ素原子、塩素原子、臭素原子等）、水酸基、メルカプト基、カルボキシル基、エポキシ基、アルキル基（メチル基、エチル基、ｉ−プロピル基、プロピル基、ｔ−ブチル基等）、アリール基（フェニル基、ナフチル基等）、芳香族ヘテロ環基（フリル基、ピラゾリル基、ピリジル基等）、アルコキシ基（メトキシ基、エトキシ基、ｉ−プロポキシ基、ヘキシルオキシ基等）、アリールオキシ基（フェノキシ基等）、アルキルチオ基（メチルチオ基、エチルチオ基等）、アリールチオ基（フェニルチオ基等）、アルケニル基（ビニル基、１−プロペニル基）、アシルオキシ基（アセトキシ基、アクリロイルオキシ基、メタクリロイルオキシ基等）、アルコキシカルボニル基（メトキシカルボニル基、エトキシカルボニル基等）、アリールオキシカルボニル基（フェノキシカルボニル基等）、カルバモイル基（カルバモイル基、Ｎ−メチルカルバモイル基、Ｎ，Ｎ−ジメチルカルバモイル基、Ｎ−メチル−Ｎ−オクチルカルバモイル基等）、アシルアミノ基（アセチルアミノ基、ベンゾイルアミノ基、アクリルアミノ基、メタクリルアミノ基等）等が挙げられ、これら置換基は更に置換されていても良い。なお、本明細書においては、水素原子を置換するものが単一の原子であっても、便宜上置換基として取り扱う。
Ｒ10が複数ある場合は、少なくとも一つが、置換アルキル基もしくは置換アリール基であることが好ましい。中でも硬化層のバインダーがビニル重合性基を有する化合物によって形成される場合、該置換アルキル基もしくは置換アリール基がさらにビニル重合性基を有することが好ましく、この場合、一般式（Ｉ）で表される化合物は、下記一般式（II）で表されるビニル重合性の置換基を有するオルガノシラン化合物として表すことができる。
【００５８】
一般式（II）
【化１】
2007133236.tif 000002
【００５９】
一般式（II）においてＲ1は、水素原子、メチル基、メトキシ基、アルコキシカルボニル基、シアノ基、フッ素原子または塩素原子を表す。上記アルコキシカルボニル基としては、メトキシカルボニル基、エトキシカルボニル基などが挙げられる。Ｒ1としては、水素原子、メチル基、メトキシ基、メトキシカルボニル基、シアノ基、フッ素原子および塩素原子が好ましく、水素原子、メチル基、メトキシカルボニル基、フッ素原子および塩素原子が更に好ましく、水素原子およびメチル基が特に好ましい。
Ｙは、単結合、エステル基、アミド基、エーテル基またはウレア基を表す。単結合、エステル基およびアミド基が好ましく、単結合およびエステル基が更に好ましく、エステル基が特に好ましい。
【００６０】
Ｌは、２価の連結鎖であり、具体的には、置換もしくは無置換のアルキレン基、置換もしくは無置換のアリーレン基、内部に連結基（例えば、エーテル基、エステル基、アミド基）を有する置換もしくは無置換のアルキレン基、または内部に連結基を有する置換もしくは無置換のアリーレン基であり、なかでも、置換もしくは無置換の炭素数２〜１０のアルキレン基、置換もしくは無置換の炭素数６〜２０のアリーレン基、内部に連結基を有する炭素数３〜１０のアルキレン基が好ましく、無置換のアルキレン基、無置換のアリーレン基、内部にエーテル連結基又はエステル連結基を有するアルキレン基が更に好ましく、無置換のアルキレン基、内部にエーテル連結基又はエステル連結基を有するアルキレン基が特に好ましい。置換基は、ハロゲン、水酸基、メルカプト基、カルボキシル基、エポキシ基、アルキル基、アリール基等が挙げられ、これら置換基は更に置換されていても良い。
【００６１】
ｎは０または１を表す。Ｘが複数存在するとき、複数のＸはそれぞれ同じであっても異なっていても良い。ｎとして好ましくは０である。
Ｒ10は、一般式（Ｉ）のＲ10と同義であり、置換もしくは無置換のアルキル基、無置換のアリール基が好ましく、無置換のアルキル基、無置換のアリール基が更に好ましい。
Ｘは、一般式（Ｉ）のＸと同義であり、ハロゲン、水酸基、無置換のアルコキシ基が好ましく、塩素、水酸基、無置換の炭素数１〜６のアルコキシ基が更に好ましく、水酸基、炭素数１〜３のアルコキシ基が更に好ましく、メトキシ基が特に好ましい。
このような化合物の具体例を後述の［化２］〜［化８］のＭ−１〜Ｍ−３８及びＭ−４７に示すが、本発明はこれらに限定されるものではない。
【００６２】
低屈折率微粒子表面の表面自由エネルギーを低下させるためにパーフルオロアルキル基及び／又はシリコーン基を含むオルガノシラン化合物を好ましく用いることもできる。
【００６３】
また、予め官能基を有するシランカップリング剤でシリカ粒子表面を処理し、次いでパーフルオロアルキル基及び／又はシリコーン基を有する化合物を固定化することもできる。この場合、アミノ基、エポキシ基、ビニル基の何れかを有するシランカップリング剤を用いるのが反応性の点でより好ましい。
【００６４】
パーフルオロアルキル基の具体例としては、特に限定はされないが、パーフルオロメチル基、パーフルオロプロピル基、パーフルオロブチル基、パーフルオロヘキシル基、パーフルオロオクチル基、パーフルオロデシル基、パーフルオロドデシル基、パーフルオロテトラデシル基等が挙げられる。パーフルオロアルキル基は、１種のみでもよく、２種以上が適宜組み合わされたものでもよい。なお、パーフルオロアルキル基中のフッ素原子の一部が、本願の発明の効果をそこなわない範囲で塩素原子等の他の原子で置換されたものであってもよい。
【００６５】
シリコーン基の具体例としては、特に限定はされないが、ジメチルシリコーン基、ジフェニルシリコーン基、メチルフェニルシリコーン基、ジエチルシリコーン基、メチルエチルシリコーン基等が挙げられる。シリコーン基は１種のみでもよく、２種以上が適宜組み合わされたものでもよい。中でも、シリコーン基が、ジメチルシリコーン基およびジフェニルシリコーン基のうち少なくとも１種であると、低屈折率微粒子表面に固定化するための有機化合物への導入が容易であるため好ましい。
【００６６】
本発明に用いるオルガノシラン化合物として、下記一般式（III）で表される含フッ素シランカップリング剤は無機微粒子の表面エネルギーを低下させることができ、好ましい。
一般式（III）
(Ｒｆ−Ｌ1)ｎ−Ｓｉ(Ｒ11)n-4
上記式中、Ｒｆは炭素数１〜２０の、直鎖、分岐または環状の含フッ素アルキル基、または炭素数６〜１４の含フッ素芳香族基を表す。Ｒｆは、炭素数３〜１０の、直鎖、分岐または環状のフルオロアルキル基が好ましく、炭素数４〜８の直鎖のフルオロアルキル基が更に好ましい。Ｌ1は炭素数１０以下の２価の連結基を表し、好ましくは炭素数１〜１０のアルキレン基、更に好ましくは炭素数１〜５のアルキレン基を表す。アルキレン基は、直鎖もしくは分岐の、置換もしくは無置換の、内部に連結基（例えば、エーテル、エステル、アミド）を有していてもよいアルキレン基である。アルキレン基は置換基を有していてもよく、その場合の好ましい置換基は、ハロゲン原子、水酸基、メルカプト基、カルボキシル基、エポキシ基、アルキル基、アリール基等が挙げられる。Ｒ11は水酸基または加水分解可能な基を表し、炭素数１〜５のアルコキシ基またはハロゲン原子が好ましく、メトキシ基、エトキシ基、及び塩素原子が更に好ましい。ｎは１〜３の整数を表す。
【００６７】
次に一般式（III）で表される含フッ素シランカップリング剤の中でも、下記一般式（IV）で表される含フッ素シランカップリング剤が好ましい。
一般式（IV）
ＣnＦ2n+1−(ＣＨ2)m−Ｓｉ(Ｒ)3
上記式中、ｎは１〜１０の整数、ｍは１〜５の整数を表す。Ｒは炭素数１〜５のアルコキシ基またはハロゲン原子を表す。ｎは４〜１０が好ましく、ｍは１〜３が好ましく、Ｒはメトキシ基、エトキシ基、及び塩素原子が好ましい。
【００６８】
このような含フッ素シランカップリング剤の具体例を後述の［化９］〜［化１０］のＭ−５６〜Ｍ−８７に示すが、本発明はこれらに限定されるものではない。
【００６９】
本発明においてシリカ微粒子の表面エネルギーを低下させることができるシリコーン基を有するオルガノシラン化合物として下記一般式（Ｖ）で表されるものも好ましい。
一般式（Ｖ）
(ＣＨ3)3Ｓｉ−(Ｏ−Ｓｉ(ＣＨ3)2)n1−(ＣＨ2)n2−Ｓｉ(Ｒ12)3
上記式中ｎ１は１〜５０の整数を表す。ｎ２は０〜１７の整数を表す。Ｒ１２は炭素数１〜５のアルコキシ基またはハロゲン原子を表す。Ｒ１２はメトキシ基、エトキシ基、及び塩素原子が好ましい。
【００７０】
これまで説明した低屈折率微粒子の表面自由エネルギーを低下させるためのシランカップリング剤に加えて硬化層を形成するバインダーと同種の官能基を有するシランカップリング剤を併用することで膜強度を上げることができ好ましい。
この場合、アミノ基、エポキシ基、ビニル基の何れかを有するシランカップリング剤を用いるのが反応性の点でより好ましい。
【００７１】
一般式（Ｉ）の化合物は２種類以上を併用しても良い。
以下に一般式（Ｉ）で表される化合物の具体例を示すが、本発明はこれらに限定されるものではない。
【００７２】
【化２】
2007133236.tif 000003
【００７３】
【化３】
2007133236.tif 000004
【００７４】
【化４】
2007133236.tif 000005
【００７５】
【化５】
2007133236.tif 000006
【００７６】
【化６】
2007133236.tif 000007
【００７７】
【化７】
2007133236.tif 000008
【００７８】
【化８】
2007133236.tif 000009
【００７９】
【化９】
2007133236.tif 000010
【００８０】
【化１０】
2007133236.tif 000011
【００８１】
これらの具体例の中で、（Ｍ−１）、（Ｍ−２）、（Ｍ−５６）、（Ｍ−５７）等が特に好ましい。本発明においては、一般式（Ｉ）で表されるオルガノシラン化合物の使用量は、特に制限はないが、シリカ微粒子当たり１質量％〜３００質量％が好ましく、更に好ましくは３質量％〜１００質量％、最も好ましくは５質量％〜５０質量％である。シリカ微粒子の表面の水酸基基準の規定度濃度（Formol）当たりでは１〜３００モル％が好ましく、更に好ましくは５〜３００モル％、最も好ましくは１０〜２００モル％である。
オルガノシラン化合物の使用量が上記範囲であると、分散液の安定化効果が充分得られ、塗膜形成時に膜強度も上昇する。複数種のオルガノシラン化合物を併用することも好ましく、複数種の化合物を同時に添加することも、添加時間をずらして反応させることもできる。また、複数種の化合物を予め部分縮合物にしてから添加すると反応制御が容易であり好ましい。
【００８２】
本発明においては、上記オルガノシランの加水分解物及び／又はその部分縮合物をシリカ微粒子表面と作用させてシリカ微粒子の表面自由エネルギーを低下する。
加水分解縮合反応は、加水分解性基（Ｘ）１モルに対して０．３〜２．０モル、好ましくは０．５〜１．０モルの水を添加し、本発明に用いられる酸触媒または、金属キレート化合物の存在下、１５〜１００℃で、撹拌することにより行われることが好ましい。
【００８３】
［表面化学修飾の溶媒］
オルガノシランの加水分解物及び／又は縮合反応物によるシリカの表面化学修飾は、無溶媒でも、溶媒中でも行うことができる。溶媒を用いる場合はオルガノシランの加水分解物及び／又はその部分縮合物の濃度を適宜に定めることができる。溶媒としては成分を均一に混合するために有機溶媒を用いることが好ましく、例えばアルコール類、芳香族炭化水素類、エーテル類、ケトン類、エステル類などが好適である。
溶媒は、オルガノシランの加水分解物及び／又は縮合反応物と触媒を溶解させるものが好ましい。また、有機溶媒が塗布液あるいは塗布液の一部として用いられることが工程上好ましく、含フッ素ポリマーなどのその他の素材と混合した場合に、溶解性あるいは分散性を損なわないものが好ましい。
【００８４】
このうち、アルコール類としては、例えば１価アルコールまたは２価アルコールを挙げることができ、このうち１価アルコールとしては炭素数１〜８の飽和脂肪族アルコールが好ましい。これらのアルコール類の具体例としては、メタノール、エタノール、ｎ−プロピルアルコール、ｉ−プロピルアルコール、ｎ−ブチルアルコール、ｓｅｃ−ブチルアルコール、ｔｅｒｔ−ブチルアルコール、エチレングリコール、ジエチレングリコール、トリエチレングリコール、エチレングリコールモノブチルエーテル、酢酸エチレングリコールモノエチルエーテルなどを挙げることができる。
【００８５】
また、芳香族炭化水素類の具体例としては、ベンゼン、トルエン、キシレンなどを、エーテル類の具体例としては、テトラヒドロフラン、ジオキサンなどを、ケトン類の具体例としては、アセトン、メチルエチルケトン、メチルイソブチルケトン、ジイソブチルケトンなどを、エステル類の具体例としては、酢酸エチル、酢酸プロピル、酢酸ブチル、炭酸プロピレンなどを挙げることができる。
これらの有機溶媒は、１種単独であるいは２種以上を併用して使用することもできる。該処理における溶媒に対するオルガノシラン化合物の濃度は特に限定されるものではないが通常０．１質量％〜７０質量％の範囲であり、好ましくは１質量％〜５０質量％の範囲である。
本発明においては、アルコール系溶媒で無機酸化物微粒子を分散した後に、分散性改良処理を行い、それに引き続いて分散溶媒を芳香族炭化水素溶媒やケトン系溶媒に置換することが好ましい。塗設時に併用するバインダーとの親和性や分散物自身の安定性の向上の点から、ケトン系溶媒への置換が好ましい。
【００８６】
［表面化学修飾の触媒］
オルガノシランの加水分解物及び／又は縮合反応物による分散性の改良処理は、触媒の存在下で行われることが好ましい。触媒としては、塩酸、硫酸、硝酸等の無機酸類；シュウ酸、酢酸、ギ酸、メタンスルホン酸、トルエンスルホン酸等の有機酸類；水酸化ナトリウム、水酸化カリウム、アンモニア等の無機塩基類；トリエチルアミン、ピリジン等の有機塩基類；トリイソプロポキシアルミニウム、テトラブトキシジルコニウム等の金属アルコキシド類等が挙げられるが、無機酸化物微粒子液の製造安定性や保存安定性の点から、本発明においては、酸触媒（無機酸類、有機酸類）及び／又は金属キレート化合物が用いられる。無機酸では塩酸、硫酸など、有機酸では水中での酸解離定数（ｐＫａ値（２５℃））が４．５以下のものが好ましく、塩酸、硫酸及び水中での酸解離定数が３．０以下の有機酸がより好ましく、塩酸、硫酸及び水中での酸解離定数が２．５以下の有機酸が更に好ましく、水中での酸解離定数が２．５以下の有機酸が更に好ましく、メタンスルホン酸、シュウ酸、フタル酸、マロン酸が更に好ましく、シュウ酸が特に好ましい。
【００８７】
オルガノシランの加水分解性基がアルコキシ基で酸触媒が有機酸の場合には、有機酸のカルボキシル基やスルホ基がプロトンを供給するために、水の添加量を減らすことができる。オルガノシランのアルコキシド基１モルに対する水の添加量は、０〜２モル、好ましくは０〜１．５モル、より好ましくは、０〜１モル、特に好ましくは、０〜０．５モルである。また、アルコールを溶媒に用いた場合には、実質的に水を添加しない場合も好適である。
【００８８】
酸触媒の使用量は、酸触媒が無機酸の場合には加水分解性基に対して０．０１〜１０モル％、好ましくは０．１〜５モル％であり、酸触媒が有機酸の場合には、水の添加量によって最適な使用量が異なるが、水を添加する場合には加水分解性基に対して０．０１〜１０モル％、好ましくは０．１〜５モル％であり、実質的に水を添加しない場合には、加水分解性基に対して１〜５００モル％、好ましくは１０〜２００モル％であり、より好ましくは２０〜２００モル％であり、更に好ましくは５０〜１５０モル％であり、特に好ましくは５０〜１２０モル％である。
処理は１５〜１００℃で撹拌することにより行われるがオルガノシランの反応性により調節されることが好ましい。
【００８９】
［金属キレート化合物］
金属キレート化合物は、下記一般式（１）で表されるアルコール及び／又は下記一般式（２）で表される化合物を配位子とした、Ｚｒ、Ｔｉ又はＡｌから選ばれる金属を中心金属とするものであれば特に制限なく好適に用いることができる。この範疇であれば、２種以上の金属キレート化合物を併用してもよい。
一般式（１）：    Ｒ21ＯＨ
一般式（２）：    Ｒ22ＣＯＣＨ2ＣＯＲ23
（式中、Ｒ21及びＲ22は、同一又は異なってもよく、炭素数１〜１０のアルキル基を示し、Ｒ23は炭素数１〜１０のアルキル基又は炭素数１〜１０のアルコキシ基を示す。）
【００９０】
本発明に好適に用いられる金属キレート化合物は、下記一般式：
Ｚｒ(ＯＲ21)c1(Ｒ22ＣＯＣＨＣＯＲ23)c2、
Ｔｉ(ＯＲ21)d1(Ｒ22ＣＯＣＨＣＯＲ23)d2、及び
Ａｌ(ＯＲ21)e1(Ｒ22ＣＯＣＨＣＯＲ23)e2
で表される化合物群から選ばれるものが好ましく、前記オルガノシラン化合物の縮合反応を促進する作用をなす。
【００９１】
金属キレート化合物中のＲ21及びＲ22は、上記のとおり同一又は異なってもよく炭素数１〜１０のアルキル基、具体的にはエチル基、ｎ−プロピル基、ｉ−プロピル基、ｎ−ブチル基、ｓｅｃ−ブチル基、ｔ−ブチル基、ｎ−ペンチル基、フェニル基などである。またＲ23は、上記のとおり炭素数１〜１０のアルキル基のほか、炭素数１〜１０のアルコキシ基、例えばメトキシ基、エトキシ基、ｎ−プロポキシ基、ｉ−プロポキシ基、ｎ−ブトキシ基、ｓｅｃ−ブトキシ基、ｔ−ブトキシ基などである。また、金属キレート化合物中のｃ１、ｃ２、ｄ１、ｄ２、ｅ１及びｅ２は、４又は６座配位となるように決定される整数を表す。
【００９２】
これらの金属キレート化合物の具体例としては、トリ−ｎ−ブトキシエチルアセトアセテートジルコニウム、ジ−ｎ−ブトキシビス（エチルアセトアセテート）ジルコニウム、ｎ−ブトキシトリス（エチルアセトアセテート）ジルコニウム、テトラキス（ｎ−プロピルアセトアセテート）ジルコニウム、テトラキス（アセチルアセトアセテート）ジルコニウム、テトラキス（エチルアセトアセテート）ジルコニウムなどのジルコニウムキレート化合物；ジイソプロポキシ・ビス（エチルアセトアセテート）チタニウム、ジイソプロポキシ・ビス（アセチルアセトナート）チタニウム、ジイソプロポキシ・ビス（アセチルアセテート）チタニウム、ジイソプロポキシ・ビス（アセチルアセトン）チタニウムなどのチタニウムキレート化合物；ジイソプロポキシエチルアセトアセテートアルミニウム、ジイソプロポキシアセチルアセトナートアルミニウム、イソプロポキシビス（エチルアセトアセテート）アルミニウム、イソプロポキシビス（アセチルアセトナート）アルミニウム、トリス（エチルアセトアセテート）アルミニウム、トリス（アセチルアセトナート）アルミニウム、モノアセチルアセトナート・ビス（エチルアセトアセテート）アルミニウムなどのアルミニウムキレート化合物などが挙げられる。
【００９３】
これらの金属キレート化合物のうち好ましいものは、トリ−ｎ−ブトキシエチルアセトアセテートジルコニウム、ジイソプロポキシ・ビス（アセチルアセトナート）チタニウム、ジイソプロポキシエチルアセトアセテートアルミニウム、トリス（エチルアセトアセテート）アルミニウムである。これらの金属キレート化合物は、１種単独で又は２種以上混合して使用することができる。また、これらの金属キレート化合物の部分加水分解物を使用することもできる。
【００９４】
金属キレート化合物は、縮合反応の速度及び塗膜にした場合の膜強度の観点から、オルガノシラン化合物に対し、好ましくは、０．０１〜５０質量％、より好ましくは、０．１〜５０質量％、さらに好ましくは、０．５〜１０質量％の割合で用いられる。
【００９５】
［分散液の安定化添加剤］
本発明に用いられる層形成用硬化性組成物には、前記オルガノシラン化合物及び酸触媒又はキレート化合物に加えて、下記一般式（３）で表されるβ−ジケトン化合物及び／又はβ−ケトエステル化合物を含有することが好ましく、これらは本発明に用いられる層形成用硬化性組成物の安定性向上剤として作用するものである。
一般式（３）：    Ｒ31ＣＯＣＨ2ＣＯＲ32
【００９６】
すなわち、上記一般式（３）で表される化合物は、前記金属キレート化合物（ジルコニウム、チタニウム及び／又はアルミニウム化合物）中の金属原子に配位することにより、これらの金属キレート化合物によるオルガノシランと金属キレート成分の縮合反応を促進する作用を抑制し、得られる組成物の保存安定性を向上させる作用をなすものと考えられる。該一般式（３）で表される化合物におけるＲ31及びＲ32は、前記金属キレート化合物を構成するＲ22及びＲ23と同様である。
【００９７】
上記一般式（３）で表されるβ−ジケトン化合物及びβ−ケトエステル化合物の具体例としては、アセチルアセトン、アセト酢酸メチル、アセト酢酸エチル、アセト酢酸−ｎ−プロピル、アセト酢酸−ｉ−プロピル、アセト酢酸−ｎ−ブチル、アセト酢酸−ｓ−ブチル、アセト酢酸−ｔ−ブチル、２，４−ヘキサジオン、２，４−ヘプタジオン、３，５−ヘプタジオン、２，４−オクタジオン、２，４−ノナジオン、５−メチルヘキサジオンなどを挙げることができる。これらのうち、アセト酢酸エチル及びアセチルアセトンが好ましく、特にアセチルアセトンが好ましい。
これらのβ−ジケトン化合物及びβ−ケトエステル化合物は、１種単独で又は２種以上を混合して使用することもできる。
【００９８】
本発明において、β−ジケトン化合物及びβ−ケトエステル化合物は、金属キレート化合物１モルに対し好ましくは２モル以上、より好ましくは３〜２０モル用いられる。２モル以上であれば、得られる組成物の保存安定性に劣るおそれが無く好ましい。
【００９９】
＜高屈折率微粒子＞
本発明で好ましく用いることのできる高屈折率微粒子として高屈折率無機微粒子が好ましく、チタン、ジルコニウム、アルミニウム、インジウム、亜鉛、錫、アンチモンのうちより選ばれる少なくとも１種の金属の酸化物からなり、平均粒径が０．００１〜０．２μｍ以下、好ましくは０．００１〜０．１μｍ、より好ましくは０．００１〜０．０６μｍ以下である無機微粒子が含有されることが好ましい。このような無機微粒子の具体例としては、ＴｉＯ2、ＺｒＯ2、Ａｌ2Ｏ3、Ｉｎ2Ｏ3、ＺｎＯ、ＳｎＯ2、Ｓｂ2Ｏ3、アンチモンをドープした酸化錫（ＡＴＯ）、錫をドープした酸化インジウム（ＩＴＯ）等が挙げられる。ＴｉＯ2及びＺｒＯ2が高屈折率化の点で特に好ましい。
【０１００】
本発明では高屈折率微粒子が導電性微粒子であると帯電防止性を付与することができ、好ましい。
導電性微粒子は、金属酸化物または窒化物からなる無機微粒子であることが好ましい。金属酸化物または窒化物の例としては、酸化錫、酸化インジウム、酸化亜鉛および酸化チタンが挙げられる。酸化錫および酸化インジウムが特に好ましい。
【０１０１】
導電性微粒子は、これらの金属酸化物または窒化物を主成分とし、さらに他の元素を含むことができる。主成分とは、粒子を構成する成分の中で最も含有量（質量％）が多い成分を意味する。他の元素の例としては、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、Ｐ、Ｓ、Ｂ、Ｎｂ、Ｉｎ、Ｖおよびハロゲン原子が挙げられる。酸化錫および酸化インジウムの導電性を高めるために、Ｓｂ、Ｐ、Ｂ、Ｎｂ、Ｉｎ、Ｖおよびハロゲン原子を添加することが好ましい。Ｓｂを含有する酸化錫（ＡＴＯ）およびＳｎを含有する酸化インジウム（ＩＴＯ）が特に好ましい。ＡＴＯ中のＳｂの割合は、３〜２０質量％であることが好ましい。ＩＴＯ中のＳｎの割合は、５〜２０質量％であることが好ましい。
【０１０２】
高屈折率微粒子の屈折率は１．６０以上が好ましく、１．７０以上であることがより好ましく、１．８０以上が特に好ましい。屈折率が大きいほど干渉斑防止効果が大きい。
【０１０３】
高屈折率微粒子の一次粒子の質量平均径は１〜１２０ｎｍであることが好ましく、１〜１００ｎｍであることがさらにこのましく、１〜８０ｎｍであることが特に好ましい。
高屈折率微粒子は硬化層形成用硬化性組成物に、より微細に分散されていることが好ましい。
【０１０４】
導電性微粒子は表面処理されていてもよい。表面処理は、無機化合物または有機化合物を用いて実施することができる。表面処理に用いる無機化合物の例には、アルミナおよびシリカが含まれる。シリカ処理が特に好ましい。表面処理に用いる有機化合物の例には、ポリオール、アルカノールアミン、ステアリン酸、シランカップリング剤およびチタネートカップリング剤が含まれる。シランカップリング剤が最も好ましい。二種類以上の表面処理を組み合わせて実施してもよい。
導電性微粒子の形状は、米粒状、球形状、立方体状、紡錘形状あるいは不定形状であることが好ましい。
【０１０５】
［高屈折率微粒子の表面自由エネルギー］
本発明では高屈折率無機微粒子の表面の自由エネルギーが、バインダー樹脂のみを硬化させて形成した硬化膜表面の表面自由エネルギーよりも高いことが好ましい。バインダー樹脂のみを硬化させて形成した硬化膜の表面自由エネルギーは前記［低屈折率微粒子の表面の化学修飾］の項で説明したとおりである。
【０１０６】
また、高屈折率無機微粒子の表面自由エネルギーは、無機微粒子分散液から塗布後、溶媒を除去して形成した塗布膜表面または、溶剤に分散する前の無機微粒子粉体（分散液から溶剤を除去したものでも良い）を錠剤整形器で成形した錠剤表面の水とヨウ化メチレンの接触角から見積もることができる。
接触角から表面自由エネルギーを見積もる方法としては、特に制限はないが、一例として特開２００２−１４８７９２号公報の段落〔００４４〕〜〔００４７〕に記載の方法が挙げられる。
【０１０７】
このように測定される高屈折率無機微粒子表面の表面自由エネルギーとバインダー樹脂のみを硬化させて形成した硬化膜の表面自由エネルギーの差は２ｍＮ／ｍ以上であることが好ましく、５ｍＮ／ｍ以上であることがより好ましい。
【０１０８】
〔ハードコート層〕
本発明の硬化層の機能としては、耐擦傷性を有するハードコート層が挙げられる。この場合、そのハードコート層とは、硬化層の表面を＃００００のスチールウールを用い１．９６Ｎ／ｃｍ2の荷重を掛けながら１０往復擦った時に、擦り跡が目視で見えない耐擦傷性を有する硬化層であることが好ましい。
本発明のハードコート層に含有させることのできる低屈折率微粒子以外の成分について、以下の説明する。
本発明のハードコート層は、硬化性組成物より形成され、硬化性組成物には前記の低屈折率微粒子、バインダーとしてハードコート性を付与するためのバインダー、その他必要に応じて防眩性又は内部散乱性を付与するためのマット粒子、及び高屈折率化、架橋収縮防止、高強度化のための無機微粒子から形成される。
【０１０９】
＜硬化樹脂＞
硬化樹脂は、飽和炭化水素鎖またはポリエーテル鎖を主鎖として有するバインダーポリマーであることが好ましく、飽和炭化水素鎖を主鎖として有するバインダーポリマーであることがさらに好ましい。また、バインダーポリマーは架橋構造を有することが好ましい。
飽和炭化水素鎖を主鎖として有するバインダーポリマーとしては、エチレン性不飽和モノマーの重合体が好ましい。飽和炭化水素鎖を主鎖として有し、かつ架橋構造を有するバインダーポリマーとしては、二個以上のエチレン性不飽和基を有するモノマーの（共）重合体が好ましい。
バインダーポリマーをより高屈折率にするには、このモノマーの構造中に芳香族環や、フッ素以外のハロゲン原子、硫黄原子、リン原子、及び窒素原子から選ばれた少なくとも１種の原子を含む高屈折率モノマーや、フルオレン骨格を分子内に有するモノマー等を選択することもできる。
【０１１０】
二個以上のエチレン性不飽和基を有するモノマーとしては、多価アルコールと（メタ）アクリル酸とのエステル〔例えば、エチレングリコールジ（メタ）アクリレート、ブタンジオールジ（メタ）アクリレート、ヘキサンジオールジ（メタ）アクリレート、１，４−シクロヘキサンジアクリレート、ペンタエリスリトールテトラ（メタ）アクリレート、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、ペンタエリスリトールヘキサ（メタ）アクリレート、１，２，３−シクロヘキサンテトラメタクリレート、ポリウレタンポリアクリレート、ポリエステルポリアクリレート〕、前記のエステルのエチレンオキサイド変性体やカプロラクトン変性体、ビニルベンゼンおよびその誘導体〔例、１，４−ジビニルベンゼン、４−ビニル安息香酸−２−アクリロイルエチルエステル、１，４−ジビニルシクロヘキサノン〕、ビニルスルホン（例、ジビニルスルホン）、アクリルアミド（例、メチレンビスアクリルアミド）およびメタクリルアミドが挙げられる。前記モノマーは２種以上併用してもよい。
【０１１１】
高屈折率モノマーの具体例としては、フルオレン骨格を有する（メタ）アクリレート類、ビス（４−メタクリロイルチオフェニル）スルフィド、ビニルナフタレン、ビニルフェニルスルフィド、４−メタクリロキシフェニル−４'−メトキシフェニルチオエーテル等が挙げられる。これらのモノマーも２種以上併用してもよい。
【０１１２】
これらのエチレン性不飽和基を有するモノマーの重合は、光ラジカル開始剤あるいは熱ラジカル開始剤の存在下、電離放射線の照射または加熱により行うことができる。
従って、前記ハードコート層は、上述のエチレン性不飽和モノマー等の硬化樹脂形成用のモノマー、光ラジカル開始剤あるいは熱ラジカル開始剤、低屈折率微粒子および必要に応じて後述するような低屈折率微粒子以外の無機フィラー、マット粒子、レべリング剤、を含有する塗液を調製し、該塗液を透明基材上に塗布後電離放射線または熱による重合反応により硬化させることにより形成することができる。
【０１１３】
光ラジカル重合開始剤としては、アセトフェノン類、ベンゾイン類、ベンゾフェノン類、ホスフィンオキシド類、ケタール類、アントラキノン類、チオキサントン類、アゾ化合物、過酸化物類、２，３−ジアルキルジオン化合物類、ジスルフィド化合物類、フルオロアミン化合物類、芳香族スルホニウム類、ロフィンダイマー類、オニウム塩類、ボレート塩類、活性エステル類、活性ハロゲン類、無機錯体、クマリン類などが挙げられる。
【０１１４】
アセトフェノン類の例には、２，２−ジメトキシアセトフェノン、２，２−ジエトキシアセトフェノン、ｐ−ジメチルアセトフェノン、１−ヒドロキシ−ジメチルフェニルケトン、１−ヒドロキシ−ジメチル−ｐ−イソプロピルフェニルケトン、１−ヒドロキシシクロヘキシルフェニルケトン、２−メチル−４−メチルチオ−２−モルフォリノプロピオフェノン、２−ベンジル−２−ジメチルアミノ−１−（４−モルフォリノフェニル）−ブタノン、４−フェノキシジクロロアセトフェノン、４−ｔ−ブチル−ジクロロアセトフェノン、が含まれる。
ベンゾイン類の例には、ベンゾイン、ベンゾインメチルエーテル、ベンゾインエチルエーテル、ベンゾインイソプロピルエーテル、ベンジルジメチルケタール、ベンゾインベンゼンスルホン酸エステル、ベンゾイントルエンスルホン酸エステル、ベンゾインメチルエーテル、ベンゾインエチルエーテルおよびベンゾインイソプロピルエーテルが含まれる。
ベンゾフェノン類の例には、ベンゾフェノン、ヒドロキシベンゾフェノン、４−ベンゾイル−４’−メチルジフェニルサルファイド、２，４−ジクロロベンゾフェノン、４，４−ジクロロベンゾフェノンおよびｐ−クロロベンゾフェノン、４，４’−ジメチルアミノベンゾフェノン（ミヒラーケトン）、３，３’，４，４’−テトラ（ｔ−ブチルパーオキシカルボニル）ベンゾフェノンなどが含まれる。
ホスフィンオキシド類の例には、２，４，６−トリメチルベンゾイルジフェニルフォスフィンオキシドが含まれる。
活性エステル類の例には１、２−オクタンジオン、１−［４−（フェニルチオ）−，２−（Ｏ−ベンゾイルオキシム）］、スルホン酸エステル類、環状活性エステル化合物などが含まれる。
オニウム塩類の例には、芳香族ジアゾニウム塩、芳香族ヨードニウム塩、芳香族スルホニウム塩が挙げられる。
ボレート塩の例にはカチオン性色素とのイオンコンプレックス類が挙げられる。
活性ハロゲン類の例にはＳ−トリアジンやオキサチアゾール化合物が知られており、２−（ｐ−メトキシフェニル）−４，６−ビス（トリクロルメチル）−ｓ−トリアジン、２−（ｐ−メトキシフェニル）−４，６−ビス（トリクロルメチル）−ｓ−トリアジン、２−（ｐ−スチリルフェニル）−４，６−ビス（トリクロルメチル）−ｓ−トリアジン、２−（３−Ｂｒ−４−ジ（エチル酢酸エステル）アミノ）フェニル）−４，６−ビス（トリクロルメチル）−ｓ−トリアジン、２−トリハロメチル−５−（ｐ−メトキシフェニル）−１，３，４−オキサジアゾールが含まれる。
無機錯体の例にはビス（η5−２，４−シクロペンタジエン−１−イル）−ビス（２，６−ジフルオロ−３−（１Ｈ−ピロール−１−イル）−フェニル）チタニウムが挙げられる。
クマリン類の例には３−ケトクマリンが挙げられる。
【０１１５】
これらの開始剤は単独でも混合して用いても良い。
「最新ＵＶ硬化技術」，（株）技術情報協会，１９９１年，ｐ．１５９にも種々の例が記載されており本発明に有用である。
市販の光開裂型の光ラジカル重合開始剤としては、チバ・スペシャルティ・ケミカルズ（株）製のイルガキュア（６５１，１８４，８１９、９０７、１８７０（ＣＧＩ−４０３／Ｉｒｇ１８４＝７／３混合開始剤、５００，３６９，１１７３，２９５９，４２６５，４２６３など）、ＯＸＥ０１）等、日本化薬（株）製のＫＡＹＡＣＵＲＥ（ＤＥＴＸ−Ｓ，ＢＰ−１００，ＢＤＭＫ，ＣＴＸ，ＢＭＳ，２−ＥＡＱ，ＡＢＱ，ＣＰＴＸ，ＥＰＤ，ＩＴＸ，ＱＴＸ，ＢＴＣ，ＭＣＡなど）、サートマー社製のＥｓａｃｕｒｅ（ＫＩＰ１００Ｆ，ＫＢ１，ＥＢ３，ＢＰ，Ｘ３３，ＫＴ０４６，ＫＴ３７，ＫＩＰ１５０，ＴＺＴ）等が好ましい例として挙げられる。
【０１１６】
光重合開始剤は、多官能モノマー１００質量部に対して、０．１〜１５質量部の範囲で使用することが好ましく、より好ましくは１〜１０質量部の範囲である。
光重合開始剤に加えて、光増感剤を用いてもよい。光増感剤の具体例として、ｎ−ブチルアミン、トリエチルアミン、トリ−ｎ−ブチルホスフィン、ミヒラーケトンおよびチオキサントン、などを挙げることができる。
更にアジド化合物、チオ尿素化合物、メルカプト化合物などの助剤を1種以上組み合わせて用いてもよい。
市販の光増感剤としては、日本化薬（株）製のＫＡＹＡＣＵＲＥ（ＤＭＢＩ，ＥＰＡ）などが挙げられる。
【０１１７】
熱ラジカル開始剤としては、有機あるいは無機過酸化物、有機アゾ及びジアゾ化合物等を用いることができる。
具体的には、有機過酸化物として過酸化ベンゾイル、過酸化ハロゲンベンゾイル、過酸化ラウロイル、過酸化アセチル、過酸化ジブチル、クメンヒドロぺルオキシド、ブチルヒドロぺルオキシド、無機過酸化物として、過酸化水素、過硫酸アンモニウム、過硫酸カリウム等、アゾ化合物として２，２'−アゾビス（イソブチロニトリル）、２，２'−アゾビス（プロピオニトリル）、１，１'−アゾビス（シクロヘキサンカルボニトリル）等、ジアゾ化合物としてジアゾアミノベンゼン、ｐ−ニトロベンゼンジアゾニウム等が挙げられる。
【０１１８】
ポリエーテルを主鎖として有するポリマーは、多官能エポキシ化合物の開環重合体が好ましい。多官能エポキシ化合物の開環重合は、光酸発生剤あるいは熱酸発生剤の存在下、電離放射線の照射または加熱により行うことができる。
従って、多官能エポキシ化合物、光酸発生剤あるいは熱酸発生剤、低屈折率微粒子、および必要に応じて後述するマット粒子、レべリング剤、低屈折率微粒子以外の無機フィラーを含有する塗液を調製し、該塗液を透明基材上に塗布後電離放射線または熱による重合反応により硬化してハードコート層を形成することができる。
【０１１９】
二個以上のエチレン性不飽和基を有するモノマーの代わりにまたはそれに加えて、架橋性官能基を有するモノマーを用いてポリマー中に架橋性官能基を導入し、この架橋性官能基の反応により、架橋構造をバインダーポリマーに導入してもよい。
架橋性官能基の例には、イソシアナート基、エポキシ基、アジリジン基、オキサゾリン基、アルデヒド基、カルボニル基、ヒドラジン基、カルボキシル基、メチロール基および活性メチレン基が含まれる。ビニルスルホン酸、酸無水物、シアノアクリレート誘導体、メラミン、エーテル化メチロール、エステルおよびウレタン、テトラメトキシシランのような金属アルコキシドも、架橋構造を導入するためのモノマーとして利用できる。ブロックイソシアナート基のように、分解反応の結果として架橋性を示す官能基を用いてもよい。すなわち、本発明において架橋性官能基は、すぐには反応を示すものではなくとも、分解した結果反応性を示すものであってもよい。
これら架橋性官能基を有するバインダーポリマーは塗布後、加熱することによって架橋構造を形成することができる。
【０１２０】
［マット粒子］
ハードコート層には、防眩性又は内部散乱性を付与するために、必要に応じて平均粒径が１〜１０μｍ、好ましくは１．５〜７．０μｍのマット粒子、例えば無機化合物の粒子又は樹脂粒子が含有される。上記マット粒子の具体例としては、例えばシリカ粒子、ＴｉＯ2粒子等の無機化合物の粒子及び架橋アクリル粒子、架橋アクリル−スチレン粒子、架橋スチレン粒子、メラミン樹脂粒子、ベンゾグアナミン樹脂粒子等の樹脂粒子が好ましく挙げられる。なかでも架橋アクリル粒子、架橋アクリル−スチレン粒子、架橋スチレン粒子が好ましい。マット粒子の形状は、真球及び不定形のいずれも使用できる。また、異なる２種以上のマット粒子を併用して用いてもよい。上記マット粒子は、形成される防眩性ハードコート層中のマット粒子量が、好ましくは１０〜１０００ｍｇ／ｍ2、より好ましくは３０〜１００ｍｇ／ｍ2となるように防眩性ハードコート層に含有されるのがよい。また、特に好ましい態様は、マット粒子として架橋スチレン粒子を用い、ハードコート層の膜厚の２分の１よりも大きい粒径の架橋スチレン粒子が、該架橋スチレン粒子全体の４０〜１００％を占める態様である。ここで、マット粒子の粒度分布はコールターカウンター法により測定し、測定された分布を粒子数分布に換算する。
【０１２１】
［無機酸化物微粒子］
続いて本発明に用いることのできる低屈折率微粒子以外の無機酸化物微粒子について説明する。
無機酸化物粒子は、得られる硬化性組成物の硬化被膜の無色性の観点から、ケイ素、アルミニウム、ジルコニウム、チタニウム、亜鉛、ゲルマニウム、インジウム、スズ、アンチモンおよびセリウムよりなる群から選ばれる少なくとも一つの元素の酸化物粒子であることが好ましい。
これらの無機微粒子はハードコート層の高屈折率化、架橋収縮防止、高強度化等を目的に導入され、硬化膜中の厚み方向に均一に分散されていることが好ましい。
【０１２２】
これらの無機酸化物粒子としては、例えば、シリカ、アルミナ、ジルコニア、酸化チタン、酸化亜鉛、酸化ゲルマニウム、酸化インジウム、酸化スズ、インジウムスズ酸化物（ＩＴＯ）、酸化アンチモン、酸化セリウム等の粒子を挙げることができる。中でも、高硬度の観点から、シリカ、アルミナ、ジルコニアおよび酸化アンチモンの粒子が好ましい。これらは、単独でまたは２種以上を組合わせて用いることができる。さらには、無機酸化物粒子は、有機溶媒分散物として用いるのが好ましい。有機溶媒分散物として用いる場合、他の成分との相溶性、分散性の観点から、分散媒は、有機溶剤が好ましい。このような有機溶剤としては、例えば、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン、プロピレングリコールモノメチルエーテルアセテート、プロピレングリコールモノエチルエーテルアセテート等のエステル類；エチレングリコールモノメチルエーテル、ジエチレングリコールモノブチルエーテル等のエーテル類；ベンゼン、トルエン、キシレン等の芳香族炭化水素類；ジメチルホルムアミド、ジメチルアセトアミド、Ｎ−メチルピロリドン等のアミド類を挙げることができる。中でも、メタノール、イソプロパノール、ブタノール、メチルエチルケトン、メチルイソブチルケトン、酢酸エチル、酢酸ブチル、トルエン、キシレンが好ましい。
【０１２３】
酸化物粒子の数平均粒子径は、１ｎｍ〜２０００ｎｍが好ましく、３ｎｍ〜２００ｎｍがさらに好ましく、５ｎｍ〜１００ｎｍが特に好ましい。数平均粒子径が２０００μｍを超えると、硬化物としたときの透明性が低下したり、被膜としたときの表面状態が悪化する傾向がある。また、粒子の分散性を改良するために各種の界面活性剤やアミン類を添加してもよい。
【０１２４】
ケイ素酸化物粒子分散液（例えば、シリカ粒子）として市販されている商品としては、例えば、コロイダルシリカとして、日産化学工業（株）製メタノ−ルシリカゾル、ＭＡ−ＳＴ−ＭＳ、ＩＰＡ−ＳＴ、ＩＰＡ−ＳＴ−ＭＳ、ＩＰＡ−ＳＴ−Ｌ、ＩＰＡ−ＳＴ−ＺＬ、ＩＰＡ−ＳＴ−ＵＰ、ＥＧ−ＳＴ、ＮＰＣ−ＳＴ−３０、ＭＥＫ−ＳＴ、ＭＥＫ−ＳＴ−Ｌ、ＭＩＢＫ−ＳＴ、ＮＢＡ−ＳＴ、ＸＢＡ−ＳＴ、ＤＭＡＣ−ＳＴ、ＳＴ−ＵＰ、ＳＴ−ＯＵＰ、ＳＴ−２０、ＳＴ−４０、ＳＴ−Ｃ、ＳＴ−Ｎ、ＳＴ−Ｏ、ＳＴ−５０、ＳＴ−ＯＬ等、触媒化成工業（株）製中空シリカＣＳ６０−ＩＰＡ等を挙げることができる。また粉体シリカとしては、日本アエロジル（株）製アエロジル１３０、アエロジル３００、アエロジル３８０、アエロジルＴＴ６００、アエロジルＯＸ５０、旭硝子（株）製シルデックスＨ３１、Ｈ３２、Ｈ５１、Ｈ５２、Ｈ１２１、Ｈ１２２、日本シリカ工業（株）製Ｅ２２０Ａ、Ｅ２２０、富士シリシア（株）製ＳＹＬＹＳＩＡ４７０、日本板硝子（株）製ＳＧフレ−ク等を挙げることができる。
【０１２５】
また、アルミナの水分散品としては、日産化学工業（株）製アルミナゾル−１００、−２００、−５２０；アルミナのイソプロパノール分散品としては、住友大阪セメント（株）製ＡＳ−１５０Ｉ；アルミナのトルエン分散品としては、住友大阪セメント（株）製ＡＳ−１５０Ｔ；ジルコニアのトルエン分散品としては、住友大阪セメント（株）製ＨＸＵ−１１０ＪＣ；アンチモン酸亜鉛粉末の水分散品としては、日産化学工業（株）製セルナックス；アルミナ、酸化チタン、酸化スズ、酸化インジウム、酸化亜鉛等の粉末および溶剤分散品としては、シーアイ化成（株）製ナノテック；アンチモンドープ酸化スズの水分散ゾルとしては、石原産業（株）製ＳＮ−１００Ｄ；ＩＴＯ粉末としては、三菱マテリアル（株）製の製品；酸化セリウム水分散液としては、多木化学（株）製ニードラール等を挙げることができる。
【０１２６】
酸化物粒子の形状は、球状、中空状、多孔質状、棒状、板状、繊維状、または不定形状であり、好ましくは、球状である。酸化物粒子の比表面積（窒素を用いたＢＥＴ比表面積測定法による）は、好ましくは、１０〜１０００ｍ2／ｇであり、さらに好ましくは、２０〜５００ｍ2／ｇであり、最も好ましくは５０〜３００ｍ2／ｇである。これら無機酸化物粒子は、乾燥状態の粉末を有機溶媒に分散することもできるが、例えば上記の酸化物の溶剤分散ゾルとして当業界に知られている微粒子状の酸化物粒子の分散液を直接用いることができる。
【０１２７】
［分散方法］
本発明において無機酸化物微粒子を粉体から溶媒中に分散して調製するには、分散剤を用いることもできる。本発明においては、アニオン性基を有する分散剤を用いることが好ましい。
アニオン性基としては、カルボキシル基、スルホン酸基（スルホ）、リン酸基（ホスホノ）、スルホンアミド基等の酸性プロトンを有する基、またはその塩が有効であり、特にカルボキシル基、スルホン酸基、リン酸基またはその塩が好ましく、カルボキシル基、リン酸基が特に好ましい。分散性をさらに改良する目的でアニオン性基は複数個が含有されていてもよい。平均で２個以上であることが好ましく、より好ましくは５個以上、特に好ましくは１０個以上である。また、分散剤に含有されるアニオン性基は、１分子中に複数種類が含有されていてもよい。
分散剤は、さらに架橋又は重合性官能基を含有することもできる。架橋又は重合性官能基としては、ラジカル種による付加反応・重合反応が可能なエチレン性不飽和基（例えば（メタ）アクリロイル基、アリル基、スチリル基、ビニルオキシ基等）、カチオン重合性基（エポキシ基、オキサタニル基、ビニルオキシ基等）、重縮合反応性基（加水分解性シリル基等、Ｎ−メチロール基）等が挙げられ、好ましくはエチレン性不飽和基を有する官能基である。
本発明においては、無機酸化物粒子を粉砕するのに分散機を用いることができる。分散機の例には、サンドグラインダーミル（例、ピン付きビーズミル）、高速インペラーミル、ペッブルミル、ローラーミル、アトライターおよびコロイドミルが含まれる。サンドグラインダーミルおよび高速インペラーミルが特に好ましい。また、予備分散処理を実施してもよい。予備分散処理に用いる分散機の例には、ボールミル、三本ロールミル、ニーダーおよびエクストルーダーが含まれる。
【０１２８】
ハードコート層の平均膜厚は１．０〜２０．０μｍが好ましく、１．５〜１０．０μｍがより好ましく、２．０〜８．０μｍが特に好ましい。薄すぎるとハードコート性が不足し、厚すぎるとカールや脆性が悪化して加工適正が低下する場合があるので、前記範囲とするのが好ましい。
【０１２９】
［塗布液の溶媒］
以上説明した本発明に係る無機酸化物微粒子の有機溶媒分散液を用いて微粒子成分とし、バインダーと組み合わせてコーティング組成物となし、この組成物からハードコート層を形成することができる。コーティング組成物の溶媒に制限は無いが、少なくとも２種類の揮発性溶媒を含有することが好ましい。例えば、アルコールとその誘導体類、エーテル類、ケトン類、炭化水素類、エステル類、の中から選ばれる少なくとも２種を組み合わせて用いることが好ましい。バインダー成分の溶解度、無機微粒子の安定性、コーティング液の粘度調節などの観点から溶媒を選択することができる。溶媒を２種以上組み合わせて用いることで、本発明の規定になるよう制御して微粒子を膜内に配置することができる。本発明に用いられる溶媒の好ましい沸点は、５０℃以上２５０℃以下が好ましく、更に好ましくは６５℃以上２００℃以下である。また、好ましい誘電率は２０℃において、１以上５０以下が好ましく、５以上３０以下が更に好ましい。誘電率が１０以上の溶媒を無機微粒子に対して１０質量％以上含むと分散安定性上好ましい。
【０１３０】
以下に本発明に用いることのできる溶媒を挙げるが、これらに限定されるものではない。
・アルコールとその誘導体類（メタノール、エタノール、ｎ−プロパノール、イソプロピルアルコール、ｎ−ブタノール、イソブタノール、第二ブタノール、第三ブタノール、ｎ−アミルアルコール、イソアミルアルコール、第二アミルアルコール、３−ペンタノール、第三アミルアルコール、ｎ−ヘキサノール、メチルアミルアルコール、２−エチルブタノール、ｎ−ヘプタノール、２−ヘプタノール、３−ヘプタノール、ｎ−オクタノール、２−オクタノール、２−エチルヘキサノール、３，５，５−トリメチルヘキサノール、ノナノール、ベンジルアルコール、エチレングリコール、エチレングリコールモノメチルエーテル、エチレングリコールモノメチルエーテルアセテート、エチレングリコールモノエチルエーテル、エチレングリコールジエチルエーテル、エチレングリコールモノエチルエーテルアセテート、エチレングリコールイソプロピルエーテル、エチレングリコールモノブチルエーテル、エチレングリコールジブチルエーテル、エチレングリコールモノブチルエーテルアセテート、エチレングリコールイソアミルエーテル、メトキシメトキシエタノール、メトキシプロパノール、ブトキシエタノール、エチレングリコールモノアセテート、エチレングリコールジアセテート、ジエチレングリコール、ジエチレングリコールモノメチルエーテル、ジエチレングリコールモノエチルエーテル、ジエチレングリコールジエチルエーテル、プロピレングリコール、プロピレングリコールモノメチルエーテル、プロピレングリコールモノエチルエーテル、プロピレングリコールモノブチルエーテル、ジプロピレングリコールモノメチルエーテル、ジプロピレングリコールモノメチルエーテル、ジプロピレングリコールモノエチルエーテル）
【０１３１】
・エーテル類（イソプロピルエーテル、ｎ−ブチルエーテル、ジイソアミルエーテル、メチルフェニルエーテル、エチルフェニルエーテル）
・ケトン類（アセトン、メチルアセトン、メチルエチルケトン、メチル−ｎ−プロピルケトン、メチル−ｎ−ブチル、メチルイソブチルケトン、メチル−ｎ−アミルケトン、メチル−ｎ−ヘキシルケトン、ジエチルケトン、エチル−ｎ−ブチルケトン、ジ−ｎ−プロピルケトン、ジイソブチルケトン、アセトニルアセトン、ジアセトンアルコール、シクロヘキサノン、メチルシクロヘキサノン）
【０１３２】
・炭化水素類（ｎ−へキサン、イソへキサン、ｎ−ヘプタン、ｎ−オクタン、イソオクタン、ｎ−デカン、トルエン、キシレン、エチルベンゼン、ジエチルベンゼン、イソプロピルベンゼン、アミルベンゼン）
・エステル類（ギ酸プロピル、ギ酸−ｎ−ブチル、ギ酸イソブチル、ギ酸アミル、酢酸エチル、酢酸−ｎ−プロピル、酢酸イソプロピル、酢酸−ｎ−ブチル、酢酸イソブチル、酢酸第二ブチル、酢酸−ｎ−アミル、酢酸イソアミル、酢酸メチルイソアミル、酢酸メトキシブチル、酢酸第二へキシル、酢酸−２−エチルブチル、酢酸−２−エチルヘキシル、酢酸シクロへキシル、酢酸メチルシクロへキシル、酢酸ベンジル、プロピオン酸メチル、プロピオン酸エチル、プロピオン酸−ｎ−ブチル、プロピオン酸イソアミル、酪酸メチル、酪酸エチル、酪酸−ｎ−ブチル、酪酸イソアミル、オキシイソ酪酸エチル、アセト酢酸メチル、アセト酢酸エチル、イソ吉草酸イソアミル、乳酸メチル、乳酸エチル、乳酸−ｎ−ブチル、乳酸イソブチル、乳酸−ｎ−アミル、乳酸イソアミル、安息香酸メチル、シュウ酸ジエチル）
【０１３３】
特に好ましい組み合わせはアルコールとその誘導体類、ケトン類、エステル類の中から少なくとも２種類、更に好ましくは３種類用いることである。好ましい例としては、例えば、メチルエチルケトン、メチルイソブチルケトン、シクロヘキサノン、２−メトキシプロパノール、２−ブトキシエタノール、イソプロピルアルコール、トルエンの中から２種又は３種を併用して用いることができる。
【０１３４】
一般に表面自由エネルギーを低下させるための化学修飾を行った無機微粒子は極性の高い有機溶媒との親和性が低い。この性質を利用して、塗布組成物中に極性の高い溶剤を含有させることで、低屈折率微粒子の表面偏在を促進させることができる。
【０１３５】
有機溶剤の極性は溶解性パラメーター（ＳＰ値）で表すことができる。上記の観点から、本発明の硬化性組成物はＳＰ値が９．５以上、より好ましくは１０．０以上の溶剤を含有する硬化性組成物から形成されることが好ましい。
尚、本発明においてハードコート層形成用硬化性組成物にＳＰ値が９．５以上の有機溶剤を含む場合には、硬化性組成物に対して５質量％以上含有することが好ましく、より好ましくは１０質量％以上、更に好ましくは１５質量％以上である。
更に、本発明においてハードコート層形成用硬化性組成物にＳＰ値が１０．０以上の有機溶剤を含む場合には、硬化性組成物に対して５質量％以上含有することが好ましく、より好ましくは１０質量％以上、更に好ましくは１５質量％以上である。
【０１３６】
＜溶解性パラメーター（ＳＰ値）＞
本発明における溶解性パラメーター（ＳＰ値）とは、σ＝［（ΔＨ−ＲＴ）／ＶＬ］1/2（ここで、σ：溶解性パラメーター、ΔＨ：蒸発熱、ＶL：モル体積、Ｒ：気体定数を表す）の式により求めた値であり、ΔＨは、Ｈｉｄｅｂｒａｎｄ  ｒｕｌｅに従って、沸点より計算される、ΔＨ２９８＝２３．７Ｔｂ＋０．０２０Ｔｂ2−２９５０の値とする（ここで、Ｔｂ：沸点）。 従って、溶解性パラメーターも２９８°Ｋの値とする。なお、Ｈｉｄｅｂｒａｎｄ  ｒｕｌｅにより求められた溶解性パラメーターの具体例は、例えばＪ．ＢＲＡＮＤＲＵＰ，Ｅ．Ｈ．ＩＭＭＥＲＧＵＴ，ａｎｄ，Ｅ．Ａ．ＧＲＵＬＫＥ“ＰＯＬＹＭＥＲ  ＨＡＮＤＢＯＯＫ  ＦＯＲＴＨ  ＥＤＩＴＩＯＮ”VII／６８８−６９４（１９９８），ＪＯＨＮ  ＷＩＬＥＹ  ＆  ＳＯＮＳ，ＩＮＣ．に一部具体的に記載されている。またＨｉｄｅｂｒａｎｄ  ｒｕｌｅによる溶解度パラメーターの計算方法に関しては、Ｊ．Ｈ．Ｈｉｌｄｅｂｒａｎｄ，“Ｓｏｌｕｂｉｌｉｔｙ  ｏｆ  Ｎｏｎｅｌｅｃｔｒｏｌｙｔｅｓ”４２４−４２７（１９５０），Ｒｅｉｎｈｏｌｄ  Ｐｕｂｌｉｓｈｉｎｇ  Ｃｏ．に記載されている。
代表的な化合物のＳＰ値を表１に示す。
【０１３７】
【表１】
2007133236.tif 000012
【０１３８】
本発明において、無機微粒子を層内に制御して配置するには、バインダーが質量平均分子量５０００以上の少なくとも１種の重合性組成物と質量平均分子量５０００未満の少なくとも１種の重合性化合物から構成されることが好ましい。質量平均分子量５０００以上の組成物の具体例としては、側鎖に（メタ）アクリロイル基を有する共重合体や、フルオロカーボン又はジメチルシロキサンを含有する高分子量化合物が好ましい。また、質量平均分子量が５０００未満の化合物としては、多官能のアクリレートモノマーや（メタ）アクリロイル基を有する一般式（II）の化合物の部分縮合物などが好ましい。
【０１３９】
（その他の添加剤）
更に本発明のハードコート層には防汚性、耐薬品性、滑り性等の特性を付与する目的で、公知のポリシロキサン化合物又はフッ素系化合物などの防汚剤、滑り剤等を適宜添加することもできる。
【０１４０】
（ポリシロキサン化合物）
ポリシロキサン化合物の好ましい例としてはジメチルシリルオキシ単位を繰り返し単位として複数個含む化合物鎖の末端及び／又は側鎖に置換基を有するものが挙げられる。ジメチルシリルオキシ基を繰り返し単位として含む化合物鎖中にはジメチルシリルオキシ以外の構造単位を含んでも良い。
【０１４１】
置換基は同一であっても異なっていても良く、複数個あることが好ましい。好ましい置換基の例としてはアクリロイル基、メタクリロイル基、ビニル基、アリル基、シンナモイル基、エポキシ基、オキセタニル基、水酸基、フルオロアルキル基、ポリオキシアルキレン基、カルボキシル基、アミノ基などを含む基が挙げられる。分子量に特に制限はないが、１０万以下であることが好ましく、５万以下であることが特に好ましく、３０００〜３００００であることが最も好ましい。
【０１４２】
本発明のハードコート層を形成する硬化性組成物に含まれる重合性ポリシロキサン化合物は、ハードコート層がラジカル重合性バインダーにより形成される場合には、ラジカル重合性ポリシロキサン化合物であるのが防汚耐久性の観点で好ましい。
【０１４３】
このような化合物の具体例として、末端（メタ）アクリレートのシロキサン化合物として、Ｘ−２２−１６４Ａ、Ｘ−２２−１６４Ｂ、Ｘ−２２−１６４Ｃ、Ｘ−２２−２４０４、Ｘ−２２−１７４Ｄ、Ｘ−２２−８２０１、Ｘ−２２−２４２６（信越化学工業（株））などが挙げられる。
【０１４４】
また、ハードコート層がカチオン重合性バインダーにより形成される場合には、カチオン重合性ポリシロキサン化合物であるのが同様に、防汚耐久性の観点で好ましい。
【０１４５】
このような化合物の具体例として、ＫＦ−１０５、Ｘ−２２−１６３Ａ、Ｘ−２２−１６３Ｂ、Ｘ−２２−１６３Ｃ、Ｘ−２２−１７３ＤＸ、ＫＦ−１００１、ＫＦ−１００１、ＫＦ−１０１、Ｘ−２２−１６９ＡＳ、Ｘ−２２−１６９Ｂ、ＫＦ−１０２、Ｘ−２２−３６６７、Ｘ−２２−４７４１（信越化学工業（株））などが挙げられる。
【０１４６】
これらの添加剤を添加する場合の塗布量は０．４〜４５ｍｇ／ｍ2であり、１〜３０ｍｇ／ｍ2が好ましく、２〜２０ｍｇ／ｍ2がより好ましく、３〜８ｍｇ／ｍ2がより好ましい。
【０１４７】
また、本発明の硬化性組成物における活性エネルギー線硬化性シリコーン樹脂の含有量は、該硬化性組成物に用いる全活性エネルギー線硬化性樹脂に対して、好ましくは０．００１〜０．２質量％であり、より好ましくは０．００５〜０．１質量％であり、最も好ましくは０．０１〜０．０５質量％である。
【０１４８】
［透明プラスチックフィルム基材］
本発明の反射防止性ハードコートフィルムは、透明プラスチックフィルム基材（以下、「透明支持体」とも称する。）上に光学機能層を形成して作製される。透明プラスチックフィルム基材の光透過率は、８０％以上であることが好ましく、８６％以上であることがさらに好ましい。透明プラスチックフィルム基材のヘイズは、２．０％以下であることが好ましく、１．０％以下であることがさらに好ましい。透明プラスチックフィルム基材の屈折率は、１．４〜１．７であることが好ましい。
【０１４９】
透明プラスチックフィルムの材料の例には、セルロースエステル、ポリアミド、ポリカーボネート、ポリエステル（例えば、ポリエチレンテレフタレート、ポリエチレンナフタレート、ポリ−１，４−シクロヘキサンジメチレンテレフタレート、ポリエチレン−１，２−ジフェノキシエタン−４、４’−ジカルボキシレート、ポリブチレンテレフタレート等）、ポリスチレン（例えばシンジオタクチックポリスチレン）、ポリオレフィン（例えば、ポリプロピレン、ポリエチレン、ポリメチルペンテン等）、ポリスルホン、ポリエーテルスルホン、ポリアリレート、ポリエーテルイミド、ポリメチルメタクリレート及びポリエーテルケトンが含まれる。セルロースエステル、ポリカーボネート、ポリエチレンテレフタレート及びポリエチレンナフタレートが好ましい。
【０１５０】
［セルロースアシレートフィルム］
特に、本発明の反射防止フィルムを液晶表示装置に用いる場合、セルロースアシレートフィルムが好ましい。セルロースアシレートはセルロースをエステル化することにより作製される。エステル化前のセルロースとしては、リンター、ケナフ、パルプを精製して用いられる。
【０１５１】
（セルロースアシレート）
本発明において、セルロースアシレートとはセルロースの脂肪酸エステルのことであるが、特に、低級脂肪酸エステルが好ましい。更には、セルロースの脂肪酸エステルフィルムが好ましい。
【０１５２】
低級脂肪酸とは、炭素原子数が６以下の脂肪酸を意味する。炭素原子数が２〜４のセルロースアシレートが好ましい。セルロースアセテートが特に好ましい。セルロースアセテートプロピオネートやセルロースアセテートブチレートのような混合脂肪酸エステルを用いることも好ましい。
【０１５３】
セルロースアシレートの粘度平均重合度（Ｄｐ）は、２５０以上であることが好ましく、２９０以上であることがさらに好ましい。またセルロースアシレートは、ゲルパーミエーションクロマトグラフィーによるＭｗ／Ｍｎ（Ｍｗは質量平均分子量、Ｍｎは数平均分子量）を指標とする分子量分布が狭いことが好ましい。具体的なＭｗ／Ｍｎの値としては、１．０〜５．０であることが好ましい。より好ましくは、１．０〜３．０であり、特に好ましくは１．０〜２．０である。
【０１５４】
透明支持体としては、酢化度が５５．０〜６２．５％であるセルロースアシレートを使用することが好ましい。酢化度は、５７．０〜６２．０％であることがさらに好ましく、５９．０〜６１．５％が特に好ましい。酢化度とは、セルロース単位質量当たりの結合酢酸量を意味する。酢化度は、ＡＳＴＭ：Ｄ−８１７−９１（セルロースアシレート等の試験法）におけるアシル化度の測定及び計算によって求められる。
【０１５５】
セルロースアシレートでは、セルロースの２位、３位、６位のヒドロキシルが均等に置換されるのではなく、６位の置換度が小さくなる傾向がある。本発明に用いるセルロースアシレートでは、セルロースの６位置換度が、２位、３位に比べて同程度又は多い方が好ましい。２位、３位、６位の置換度の合計に対する、６位の置換度の割合は、３０〜４０％であることが好ましく、３１〜４０％であることがさらに好ましく、３２〜４０％であることが最も好ましい。
【０１５６】
透明支持体には、フィルムの機械的特性（膜の強度、カール、寸度安定性、滑り性等）、耐久性（耐湿熱性、耐候性等）等の特性を調整するために各種の添加剤を用いることができる。例えば、可塑剤（リン酸エステル類、フタル酸エステル類、ポリオールと脂肪酸とのエステル類等）、紫外線防止剤（例えば、ヒドロキシベンゾフェノン系化合物、ベンゾトリアゾール系化合物、サリチル酸エステル系化合物、シアノアクリレート系化合物等）、劣化防止剤（例えば、酸化防止剤、過酸化物分解剤、ラジカル禁止剤、金属不活性化剤、酸捕獲剤、アミン等）、微粒子（例えばＳｉＯ2、Ａｌ2Ｏ3、ＴｉＯ2、ＢａＳＯ4、ＣａＣＯ3、ＭｇＣＯ3、タルク、カオリン等）、剥離剤、帯電防止剤、赤外吸収剤等が挙げられる。
【０１５７】
これらの詳細は、発明協会公開技報公技番号２００１−１７４５号（２００１年３月１５日発行、発明協会），ｐ．１７−２２に詳細に記載されている素材が好ましく用いられる。
【０１５８】
これら添加剤の使用量は、透明支持体の０．０１〜２０質量％であることが好ましく、０．０５〜１０質量％であることがさらに好ましい。
【０１５９】
［表面処埋］
透明支持体に、表面処埋を実施してもよい。
表面処理の例には、薬品処理、機械的処理、コロナ放電処理、火焔処理、紫外線照射処理、高周波処理、グロー放電処理、活性プラズマ処理、レーザー処理、混酸処理及びオゾン酸化処理が含まれる。具体的には、例えば、発明協会公開技報公技番号２００１−１７４５号（発行２００１年３月１５日）ｐ．３０−３１に記載の内容、特開２００１−９９７３号公報に記載の内容等が挙げられる。好ましくは、グロー放電処理、紫外線照射処理、コロナ放電処理及び火焔処理、更に好ましくはグロー放電処理と紫外線処理が挙げられる。
このような処理により基材の表面は親水化し、表面自由エネルギーが上昇するので、ハードコート層形成用塗布液に含まれる表面自由エネルギーの高い高屈折率微粒子が基材表面上に偏在し易くなり好ましい。
【０１６０】
［鹸化処理］
本発明の光学フィルムを液晶表示装置に用いる場合、片面に粘着層を設ける等してディスプレイの最表面に配置する。該透明支持体がトリアセチルセルロースの場合は偏光板の偏光層を保護する保護フィルムとしてトリアセチルセルロースが用いられるため、本発明の光学フィルムをそのまま保護フィルムに用いることがコストの上では好ましい。
【０１６１】
本発明の光学フィルムは、片面に粘着層を設ける等してディスプレイの最表面に配置したり、そのまま偏光板用保護フィルムとして使用される場合には、十分に接着させるためには透明支持体上に含フッ素ポリマーを主体とする最外層を形成した後、鹸化処理を実施することが好ましい。鹸化処理は、公知の手法、例えば、アルカリ液の中に該フィルムを適切な時間浸漬して実施される。アルカリ液に浸漬した後は、該フィルムの中にアルカリ成分が残留しないように、水で十分に水洗したり、希薄な酸に浸漬してアルカリ成分を中和することが好ましい。
鹸化処理することにより、最外層を有する側とは反対側の透明支持体の表面が親水化される。
親水化された表面は、ポリビニルアルコールを主成分とする偏光膜との接着性を改良するのに特に有効である。また、親水化された表面は、空気中の塵埃が付着しにくくなるため、偏光膜と接着させる際に偏光膜と光学フィルムの間に塵埃が入りにくく、塵埃による点欠陥を防止するのに有効である。
鹸化処理は、最外層を有する側とは反対側の透明支持体の表面の水に対する接触角が４０゜以下になるように実施することが好ましい。更に好ましくは３０゜以下、特に好ましくは２０゜以下である。
【０１６２】
アルカリ鹸化処理の具体的手段としては、以下の（１）及び（２）の２つの手段から選択することができる。汎用のトリアセチルセルロースフィルムと同一の工程で処理できる点で（１）が優れているが、反射防止膜面まで鹸化処理されるため、表面がアルカリ加水分解されて膜が劣化する点、鹸化処理液が残ると汚れになる点が問題になり得る。その場合には、特別な工程となるが、（２）が優れる。
（１）透明支持体上に反射防止層を形成後に、アルカリ液中に少なくとも１回浸漬することで、該フィルムの裏面を鹸化処理する。
（２）透明支持体上に反射防止層を形成する前または後に、アルカリ液を該光学フィルムの光学フィルムを形成する面とは反対側の面に塗布し、加熱、水洗及び／又は中和することで、該フィルムの裏面だけを鹸化処理する。
【０１６３】
［塗膜形成方法］
本発明の光学フィルムは以下の方法で形成することができるが、この方法に制限されない。
まず、各層を形成するための成分を含有した塗布液が調製される。塗布液を、ディップコート法、エアーナイフコート法、カーテンコート法、ローラーコート法、ワイヤーバーコート法、グラビアコート法やエクストルージョンコート法（米国特許２６８１２９４号明細書参照）により透明支持体上に塗布し、加熱・乾燥する。これらの塗布方式のうち、グラビアコート法で塗布すると反射防止膜の各層のような塗布量の少ない塗布液を膜厚均一性高く塗布することができ、好ましい。グラビアコート法の中でもマイクログラビア法は膜厚均一性が高く、より好ましい。
また、ダイコート法を用いても塗布量の少ない塗布液を膜厚均一性高く塗布することができ、さらにダイコート法は前計量方式のため膜厚制御が比較的容易であり、さらに塗布部における溶剤の蒸散が少ないため、好ましい。二層以上を同時に塗布してもよい。同時塗布の方法については、米国特許第２７６１７９１号、同２９４１８９８号、同３５０８９４７号、同３５２６５２８号の各明細書および原崎勇次著、「コーティング工学」、２５３頁、朝倉書店（１９７３）に記載がある。
【０１６４】
［偏光板］
偏光板は、偏光膜を両面から挟む２枚の保護フィルムで主に構成される。本発明の光学フィルムは、偏光膜を両面から挟む２枚の保護フィルムのうち少なくとも１枚に用いることが好ましい。本発明の光学フィルムが保護フィルムを兼ねることで、偏光板の製造コストを低減できる。また、本発明の光学フィルムを最表層に使用することにより、外光の映り込み等が防止され、干渉斑がなく、耐擦傷性、ゴミ付着防止性等も優れた偏光板とすることができる。
【０１６５】
偏光膜としては公知の偏光膜や、偏光膜の吸収軸が長手方向に平行でも垂直でもない長尺の偏光膜から切り出された偏光膜を用いてもよい。偏光膜の吸収軸が長手方向に平行でも垂直でもない長尺の偏光膜は以下の方法により作成される。
即ち、連続的に供給されるポリマーフィルムの両端を保持手段により保持しつつ張力を付与して延伸した偏光膜で、少なくともフィルム幅方向に１．１〜２０．０倍に延伸し、フィルム両端の保持装置の長手方向進行速度差が３％以内であり、フィルム両端を保持する工程の出口におけるフィルムの進行方向と、フィルムの実質延伸方向のなす角が、２０〜７０度傾斜するようにフィルム進行方向を、フィルム両端を保持させた状態で屈曲させてなる延伸方法によって製造することができる。特に４５度傾斜させたものが生産性の観点から好ましく用いられる。
【０１６６】
ポリマーフィルムの延伸方法については、特開２００２−８６５５４号公報の段落〔００２０〕〜〔００３０〕に詳しい記載がある。
【０１６７】
本発明の光学フィルムは、偏光膜の表面保護フィルムの片側として用いた場合、ツイステットネマチック（ＴＮ）、スーパーツイステットネマチック（ＳＴＮ）、バーティカルアライメント（ＶＡ）、インプレインスイッチング（ＩＰＳ）、オプティカリーコンペンセイテットベンドセル（ＯＣＢ）等のモードの透過型、反射型、または半透過型の液晶表示装置に好ましく用いることができる。
【０１６８】
ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモードの）液晶セル（ＳＩＤ９７、Ｄｉｇｅｓｔ  ｏｆ  ｔｅｃｈ．Ｐａｐｅｒｓ（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭモード）の液晶セル（日本液晶討論会の予稿集５８〜５９（１９９８）記載）および（４）ＳＵＲＶＡＩＶＡＬモードの液晶セル（ＬＣＤインターナショナル９８で発表）が含まれる。
ＶＡモードの液晶セル用には、２軸延伸したトリアセチルセルロースフィルムを本発明の光学フィルムと組み合わせて作成した偏光板が好ましく用いられる。２軸延伸したトリアセチルセルロースフィルムの作製方法については、例えば特開２００１−２４９２２３号公報、特開２００３−１７０４９２号公報などに記載の方法を用いることが好ましい。
【０１６９】
ＯＣＢモードの液晶セルは、棒状液晶性分子を液晶セルの上部と下部とで実質的に逆の方向に（対称的に）配向させるベンド配向モードの液晶セルを用いた液晶表示装置であり、米国特許４５８３８２５号、同５４１０４２２号の各明細書に開示されている。棒状液晶性分子が液晶セルの上部と下部とで対称的に配向しているため、ベンド配向モードの液晶セルは、自己光学補償機能を有する。そのため、この液晶モードは、ＯＣＢ（Ｏｐｔｉｃａｌｌｙ  Ｃｏｍｐｅｎｓａｔｏｒｙ  Ｂｅｎｄ）液晶モードとも呼ばれる。ベンド配向モードの液晶表示装置は、応答速度が速いとの利点がある。
【０１７０】
ＥＣＢモードの液晶セルでは、電圧無印加時に棒状液晶性分子が実質的に水平配向しており、カラーＴＦＴ液晶表示装置として最も多く利用されており、多数の文献に記載がある。例えば「ＥＬ、ＰＤＰ、ＬＣＤディスプレイ」東レリサーチセンター発行（２００１）などに記載されている。
【０１７１】
特にＴＮモードやＩＰＳモードの液晶表示装置に対しては、特開２００１−１０００４３号公報等に記載されているように、視野角拡大効果を有する光学補償フィルムを偏光膜の裏表２枚の保護フィルムの内の本発明の光学フィルムとは反対側の面に用いることにより、１枚の偏光板の厚みで反射防止効果と視野角拡大効果を有する偏光板を得ることができ、特に好ましい。
【実施例】
【０１７２】
本発明を詳細に説明するために、以下の実施例を挙げて説明するが、本発明はこれらに限定されるものではない。なお、特別に断りのない限り、「部」及び「％」は質量基準である。
【０１７３】
（シリカ分散液Ａの調製）
中空シリカ微粒子ゾル（イソプロピルアルコールシリカゾル、平均粒子径４０ｎｍ、シェル厚み６ｎｍ、シリカ濃度２０質量％、シリカ粒子の屈折率１．３０、特開２００２−７９６１６号公報に記載の調製例４に準じサイズを変更して作成）５００部に、アクリロイルオキシプロピルトリメトキシシラン（信越化学工業（株）製）８部、トリデカフルオロオクチルトリメトキシシラン（ＧＥ東芝シリコーン（株）製）２部、およびジイソプロポキシアルミニウムエチルアセテート１．５部加え混合した後に、イオン交換水を９部を加えた。６０℃で８時間反応させた後に室温まで冷却し、アセチルアセトン１．８部を添加した。
この分散液５００ｇにほぼシリカの含量一定となるようにシクロヘキサノンを添加しながら、圧力２０ｋＰａで減圧蒸留による溶媒置換を行った。分散液に異物の発生はなかった。ついで固形分濃度をシクロヘキサノンを除去することで調整し、２２質量％にしたときの粘度は２５℃で９ｍＰａ・ｓであった。得られた分散液Ａのイソプロピルアルコールの残存量をガスクロマトグラフィーで分析したところ、１．０％であった。また、粒子の屈折率は１．４２であった。
【０１７４】
（ＡＴＯ分散液の調製）
市販の導電性微粒子ＡＴＯ「アンチモンドープ酸化錫Ｔ−１」（比表面積８０ｍ2／ｇ、屈折率２．０、三菱マテリアル（株）製）２０質量部に、テトラアルコキシシラン３．０質量部、メチルイソブチルケトン７７質量部を添加して攪拌した。
【０１７５】
メディア分散機（直径０．１ｍｍのジルコニアビーズ使用）を用いて、上記液中のＡＴＯ粒子を分散した。光散乱法で分散液中のＡＴＯ粒子の質量平均粒径を評価した結果、５５ｎｍであった。このようにして、ＡＴＯ分散液を作成した。
【０１７６】
［ハードコート層用塗布液の調製］
────────────────────────────────────
ハードコート層用塗布液（ＨＣＬ−１）の組成
────────────────────────────────────
ＤＰＨＡ                                                    ４５０．０部
イルガキュア９０７                                            １２．０部
シリカ分散液Ａ                                                ５０．０部
ＡＴＯ分散液                                                １００．０部
ＩＰＡ−ＳＴ（３０％）                                      ６００．０部
イソプロピルアルコール                                        ６０．０部
メチルエチルケトン                                          ２０３．０部
────────────────────────────────────
【０１７７】
────────────────────────────────────
防眩性ハードコート層用塗布液（ＨＣＬ−２）の組成
────────────────────────────────────
ＰＥＴＡ                                                    ６００．０部
イルガキュア１８４                                            ２０．０部
シリカ分散液Ａ                                                ５０．０部
ＡＴＯ分散液                                                １００．０部
架橋ポリスチレン粒子トルエン分散液（３０％）                  １７．０部
架橋アクリル−スチレン粒子トルエン分散液（３０％）          １３３．０部
トルエン                                                    ２１０．０部
シクロヘキサノン                                              ９８．０部
────────────────────────────────────
【０１７８】
それぞれ使用した化合物を以下に示す。
・ＰＥＴＡ：ペンタエリスリトールトリアクリレート、ペンタエリスリトールテトラアクリレートの混合物［ＫＡＹＡＲＡＤ  ＰＥＴ−３０：日本化薬（株）製］
・ＤＰＨＡ：ジペンタエリスリトールペンタアクリレートとジペンタエリスリトールヘキサアクリレートの混合物［ＫＡＹＡＲＡＤ  ＤＰＨＡ：日本化薬（株）製］
・イルガキュア１８４：重合開始剤［チバ・スペシャルティ・ケミカルズ（株）製］
・イルガキュア９０７：重合開始剤［チバ・スペシャルティ・ケミカルズ（株）製］
【０１７９】
・ＩＰＡ−ＳＴ：平均粒径１５ｎｍのシリカ粒子のＩＰＡ分散液、固形分濃度３０質量％［日産化学（株）製］
・架橋ポリスチレン粒子トルエン分散液（３０％）：ＳＸ−３５０Ｈ［平均粒径３．５μｍ架橋ポリスチレン粒子、屈折率１．６０、綜研化学（株）製］の３０％トルエン分散液、ポリトロン分散機にて１００００ｒｐｍで２０分分散後使用
・架橋アクリル−スチレン粒子トルエン分散液（３０％）：ＳＸ−３５０ＨＬ［平均粒径３．５μｍ、屈折率１．５５、綜研化学（株）製］の３０％トルエン分散液、ポリトロン分散機にて１００００ｒｐｍで２０分分散後使用
【０１８０】
＜反射防止性ハードコートフィルムの作成＞
実施例１−１（フィルム試料１０１）
支持体（基材）として１３４０ｍｍ幅の長さ２６００ｍ、厚さ８０μｍのトリアセチルセルロースフィルム“ＴＤ８０Ｕ”（富士写真フイルム（株）製）をロール形態で巻き出し、直接、前記の表面修飾低屈折率微粒子を添加したハードコート層用塗布液（ＨＣＬ−１）を、線数１３５本／インチ、深度６０μｍのグラビアパターンを有する直径５０ｍｍのマイクログラビアロールとドクターブレードを用いて、搬送速度１５ｍ／分の条件で塗布し、２５℃で６０秒間搬送後、６０℃で１５０秒乾燥し、さらに酸素濃度が１．０体積％以下になるように、窒素パージ下で１６０Ｗ／ｃｍの空冷メタルハライドランプ（アイグラフィックス（株）製）を用いて、照度４００ｍＷ／ｃｍ2、照射量２５０ｍＪ／ｃｍ2の紫外線を照射して塗布層を硬化させ、ハードコート層（ＨＣ−１）を形成し、巻き取った。硬化後、ハードコート層の平均厚さが６．０μｍとなるようにグラビアロール回転数を調整した。
【０１８１】
実施例１−２（フィルム試料１０２）
実施例１−１に対してハードコート層用塗布液を塗布する前に、トリアセチルセルロースフィルムの表面を、コロナ処理装置を用いて０．５ｋｗでコロナ処理（親水化処理）を行う変更を行った以外は実施例１−１と同様にして実施例１−２の試料を作成した。
【０１８２】
比較例１−１（フィルム試料１０３）
実施例１−１に対して塗布後、２５℃で６０秒間搬送する工程を省略し、塗布後すぐに６０℃１５０秒乾燥する変更を行った以外は実施例１−１と同様にして比較例１−１の試料を作成した。
【０１８３】
実施例２−１（フィルム試料１０４）
支持体（基材）として１３４０ｍｍ幅の長さ２６００ｍ、厚さ８０μｍのトリアセチルセルロースフィルム“ＴＤ８０Ｕ”（富士写真フイルム（株）製）をロール形態で巻き出し、直接、前記の表面修飾低屈折率微粒子を添加した防眩性ハードコート層用塗布液（ＨＣＬ−２）を、線数１３５本／インチ、深度６０μｍのグラビアパターンを有する直径５０ｍｍのマイクログラビアロールとドクターブレードを用いて、搬送速度１５ｍ／分の条件で塗布し、２５℃で６０秒間搬送後、６０℃で１５０秒乾燥の後、さらに酸素濃度が１．０体積％以下になるように、窒素パージ下で１６０Ｗ／ｃｍの空冷メタルハライドランプ（アイグラフィックス（株）製）を用いて、照度４００ｍＷ／ｃｍ2、照射量２５０ｍＪ／ｃｍ2の紫外線を照射して塗布層を硬化させ、防眩性ハードコート層（ＨＣ−２）を形成し、巻き取った。硬化後、防眩性ハードコート層の平均厚さが６．０μｍとなるようにグラビアロール回転数を調整した。
【０１８４】
比較例２−１（フィルム試料１０５）
実施例２−１に対して塗布後、２５℃で６０秒間搬送する工程を省略し、塗布後すぐに６０℃１５０秒乾燥する変更を行った以外は実施例２−１と同様にして比較例２−１の試料を作成した。
【０１８５】
実施例３−１（フィルム試料１０６）
支持体として１３４０ｍｍ幅の長さ２６００ｍ、厚み１００μｍのポリエチレンテレフタレート（ＰＥＴ）フィルムをロール形態で巻き出し、直接、前記のフッ素系共重合体生成物添加したハードコート層用塗布液（ＨＣＬ−１）を、線数１３５本／インチ、深度６０μｍのグラビアパターンを有する直径５０ｍｍのマイクログラビアロールとドクターブレードを用いて、搬送速度１５ｍ／分の条件で塗布し、２５℃で６０秒間搬送後、６０℃で１５０秒乾燥の後、さらに酸素濃度が１．０体積％以下になるように、窒素パージ下で１６０Ｗ／ｃｍの空冷メタルハライドランプ（アイグラフィックス（株）製）を用いて、照度４００ｍＷ／ｃｍ2、照射量２５０ｍＪ／ｃｍ2の紫外線を照射して塗布層を硬化させ、ハードコート層を形成し、巻き取った。硬化後、ハードコート層の平均厚さが８．０μｍとなるようにグラビアロール回転数を調整した。
【０１８６】
比較例３−１（フィルム試料１０７）
実施例３−１に対して塗布後、２５℃で６０秒間搬送する工程を省略し、塗布後すぐに６０℃１５０秒乾燥する変更を行った以外は実施例３−１と同様にして比較例３−１の試料を作成した。
【０１８７】
【表２】
2007133236.tif 000013
【０１８８】
［表面自由エネルギーの測定］
（１）低屈折率微粒子の表面エネルギー
シリカ分散液Ａの溶媒をエバポレーターにて減圧除去し、シリカ微粒子の粉体を得た。得られたシリカ微粒子粉体を錠剤整形器・錠剤整形器プレス（日本分光（株）製）を用いてシリカ微粒子の錠剤とした。得られた錠剤の接触角をＣｏｎｔａｃｔ−Ａｎｇｌｅ  ｍｅｔｅｒ（協和界面化学（株）１０９２７）を用いて水とヨウ化メチレンの接触角を測定した。また、特開２００２−１４８７９２号公報の段落〔００４４〕〜〔００４７〕に記載の方法に従って、接触角から表面自由エネルギーを得た。結果を表３に示す。
下記シリカ分散液Ｂについても、同様にしてシリカ微粒子の錠剤とし、その接触角を測定し、表面自由エネルギーを得た。結果を表３に示す。
【０１８９】
（シリカ分散液Ｂの調製）
中空シリカ微粒子ゾル（イソプロピルアルコールシリカゾル、平均粒子径４０ｎｍ、シェル厚み６ｎｍ、シリカ濃度２０質量％、シリカ粒子の屈折率１．３０、特開２００２−７９６１６の調製例４に準じサイズを変更して作成）５００部に、アクリロイルオキシプロピルトリメトキシシラン（信越化学工業（株）製）１０部、およびジイソプロポキシアルミニウムエチルアセテート１．５部加え混合した後に、イオン交換水を９部を加えた。６０℃で８時間反応させた後に室温まで冷却し、アセチルアセトン１．８部を添加した。
この分散液５００ｇにほぼシリカの含量一定となるようにシクロヘキサノンを添加しながら、圧力２０ｋＰａで減圧蒸留による溶媒置換を行った。分散液に異物の発生はなく、固形分濃度をシクロヘキサノンで調整し、２２質量％にしたときの粘度は２５℃で９ｍＰａ・ｓであった。得られた分散液Ｂのイソプロピルアルコールの残存量をガスクロマトグラフィーで分析したところ、１．０％であった。また、粒子の屈折率は１．４２であった。
【０１９０】
（２）高屈折率微粒子の表面エネルギー
ＡＴＯ微粒子の分散液についても、（１）と同様にしてＡＴＯ微粒子の錠剤とし、その接触角を測定し、表面自由エネルギーを得た。結果を表３に示す。
【０１９１】
（３）バインダーの表面エネルギー
前記ハードコート層用塗布液（ＨＣＬ−１）の低屈折率微粒子、高屈折率微粒子等を用いず、バインダー樹脂のみとした層形成用塗布液として下記ハードコート層用塗布液（ＨＣＬ−１１）を調製した。
前記ハードコート層用塗布液（ＨＣＬ−２）の低屈折率微粒子、高屈折率微粒子等を用いず、バインダー樹脂のみとした層形成用塗布液として下記ハードコート層用塗布液（ＨＣＬ−１２）を調製した。
【０１９２】
［ハードコート層用塗布液の調製］
────────────────────────────────────
ハードコート層用塗布液（ＨＣＬ−１１）の組成
────────────────────────────────────
ＤＰＨＡ                                                    ４５０．０部
イルガキュア９０７                                            １２．０部
イソプロピルアルコール                                      ４８０．０部
メチルエチルケトン                                          ２８０．０部
────────────────────────────────────
【０１９３】
────────────────────────────────────
ハードコート層用塗布液（ＨＣＬ−１２）の組成
────────────────────────────────────
ＰＥＴＡ                                                    ６００．０部
イルガキュア１８４                                            ２０．０部
トルエン                                                    ３９２．０部
シクロヘキサノン                                            １３７．０部
────────────────────────────────────
【０１９４】
ハードコート層用塗布液（ＨＣＬ−１１）〜（ＨＣＬ−１２）をトリアセチリルセルロースフィルム“ＴＤ８０Ｕ”（富士写真フイルム（株）製）上にバーコーターで乾燥膜厚が２μｍになるように塗布６０℃で１５０秒乾燥後、酸素濃度が１．０体積％以下になるように、窒素パージ下で１６０Ｗ／ｃｍの空冷メタルはライドランプ（アイグラフィックス（株）製）を用いて、照度４００ｍＷ／ｃｍ2、照射量２５０ｍＪ／ｃｍ2の紫外線を照射して塗布層を硬化させハードコート層（ＨＣ−１１）〜（ＨＣ−１２）を形成した。得られたハードコート層の接触角をＣｏｎｔａｃｔ−Ａｎｇｌｅ  ｍｅｔｅｒ（協和界面化学（株）１０９２７）を用いて水とヨウ化メチレンの接触角を測定し、表面自由エネルギーを得た。結果を表３に示す。
【０１９５】
（４）基材の表面エネルギー
実施例１−１の透明プラスチックフィルム基材（トリアセチルセルロースフィルム“ＴＤ８０Ｕ”（富士写真フイルム（株）製））についても同様に、その接触角を測定し、表面自由エネルギーを得た。結果を表３に示す。
また、実施例１−２の透明プラスチックフィルム基材（コロナ表面処理したもの）についても、その接触角を測定し、表面自由エネルギーを得た。結果を表３に示す。
【０１９６】
【表３】
2007133236.tif 000014
【０１９７】
上記の結果からシリカ分散液Ａに含まれるシリカ微粒子の表面自由エネルギーは含フッ素シランカップリング剤で表面修飾することで、ハードコート層のバインダー樹脂のみを硬化させて形成した硬化膜ＨＣ−１１、ＨＣ−１２の表面よりも表面自由エネルギーが低下している。シリカ微粒子の表面自由エネルギーの低下によりシリカ微粒子の表面偏在が起きていると考えられる。
【０１９８】
［反射防止フィルムの鹸化処理］
反射防止フィルム試料の作製後、これら反射防止フィルム試料について次のような処理を行った。
１．５ｍｏｌ／Ｌの水酸化ナトリウム水溶液を調製し、５５℃に保温した。０．０１ｍｏｌ／Ｌの希硫酸水溶液を調製し、３５℃に保温した。作製した反射防止フィルムをこの水酸化ナトリウム水溶液に２分間浸漬した後、水に浸漬し水酸化ナトリウム水溶液を十分に洗い流した。次いで、上記の希硫酸水溶液に１分間浸漬した後、水に浸漬し希硫酸水溶液を十分に洗い流した。最後に試料を１２０℃で十分に乾燥させた。
【０１９９】
［反射防止フィルムの評価］
（１）平均反射率
分光光度計（日本分光（株）製）を用いて、３８０〜７８０ｎｍの波長領域において、入射角５°における各反射防止フィルム試料の分光反射率を測定した。結果には４５０〜６５０ｎｍの平均反射率を用いた。
【０２００】
（２）スチールウール（ＳＷ）耐傷性評価
反射防止フィルム試料について、ラビングテスターを用い、以下の条件でこすりテストを行った。
評価環境条件：２５℃、６０％ＲＨ。
こすり材：試料と接触するテスターのこすり先端部（１ｃｍ×１ｃｍ）にスチールウール（日本スチールウール（株）製、「グレードＮｏ．００００」）を巻いて、動かないようバンド固定した。
移動距離（片道）：１３ｃｍ、こすり速度：１３ｃｍ／秒、荷重：１．９６Ｎ／ｃｍ2。
先端部接触面積：１ｃｍ×１ｃｍ、こすり回数：１０往復。
【０２０１】
こすり終えた試料の裏側に油性黒インキを塗り、反射光で目視観察して、こすり部分の傷を、以下の基準で評価した。
◎：非常に注意深く見ても、全く傷が見えない。
○：非常に注意深く見ると僅かに弱い傷が見える。
△：中程度の傷が見える。
×：一目見ただけで分かる傷がある。
【０２０２】
（３）［Ｂ／Ａ］×１００、［Ｄ／Ｃ］×１００の測定
明細書記載の方法により、測定した。
【０２０３】
（４）ゴミ付き防止性評価
光学フィルム試料の透明支持体側をＣＲＴ表面に貼り付け、０．５μｍ以上のホコリおよびティッシュペーパー屑を、０．０２８ｍ3すなわち１ｆｔ3（立方フィート）当たり１００〜２００万個有する部屋で２４時間使用した。光学フィルム１００ｃｍ2当たり、付着したホコリとティッシュペーパー屑の数を測定し、それぞれの結果の平均値を以下のように評価した。
◎：２０個未満
○：２０〜４９個
△：５０〜１９９個
×：２００個以上
【０２０４】
（５）干渉斑（むら）評価
裏面をサンドペーパーで擦り、黒マジックを塗り裏面の反射が起こらないようにした試料を机の上におき、３０ｃｍ上から三波長蛍光灯（ナショナルパルック蛍光灯ＦＬ２０ＳＳ・ＥＤ−Ｄ／１８）でサンプルを照らし、干渉斑を観察し、下記基準により３段階評価を行った。
◎：干渉斑が見えなかった
○：干渉斑が殆ど目立たなかった
×：干渉斑がはっきり認められた
【０２０５】
【表４】
2007133236.tif 000015
【０２０６】
表４に示される結果より、以下のことが明らかである。
表面修飾低屈折率微粒子を用いた本発明の反射防止フィルムは１回の硬化性組成物の塗布で、反射率が低く、ゴミ付着防止性と耐擦傷性に優れ、干渉斑のない反射防止フィルムが得られた。
実施例２−１の防眩性ハードコートフィルムに関しても本発明の硬化性組成物を用いることで、表面の反射率低減とゴミ付着防止性、耐擦傷性を付与することができる。
また、実施例３−１で示したハードコートフィルムの結果から高屈折率プラスチックフィルムであるＰＥＴフィルムでは、基材とハードコート層の屈折率差に起因する干渉斑の問題が起きるが（比較例３−１）、本発明では高屈折率微粒子の基材表面への偏在により、基材表面からハードコート層に向かって屈折率勾配を付けることができ、干渉斑を防止することができる。
【０２０７】
試料１０１〜１０７の断面を、透過型電子顕微鏡を用いて１５万倍の写真を撮影したところ、実施例試料では低屈折微粒子である、内部に空洞が見られる中空シリカ粒子がハードコート層の表面に偏在している様子が観察できた。表面偏在の程度は表４の［Ｂ／Ａ］×１００の値で示したとおりである。
また、内部に空洞が見られないシリカ粒子はハードコート層内に均一に分散していた。
同様にＡＴＯ微粒子がハードコート層の支持体側に偏在している様子が観察できた。支持体側偏在の程度は表４の［Ｄ／Ｃ］×１００の値で示したとおりである。
また、実施例１−１の試料１０１と実施例１−２の試料１０２は表面に低屈折率微粒子が集中した厚みが約１００μｍの層のような構造が観察された。また、実施例１−２の試料１０２では更に、基材側に高屈折率微粒子が集中した厚みが約２００μｍの層のような構造が観察された。
【０２０８】
＜偏光板の作製、液晶表示装置＞
実施例１１−１〜１１−３
次に、実施例１−１〜１−２、２−１の本発明反射防止フィルム試料１０１、１０２、１０４をそれぞれ、１．５ｍｏｌ／Ｌ、５５℃のＮａＯＨ水溶液中に２分間浸漬したあと中和、水洗した、８０μｍの厚さのトリアセチルセルロースフィルム（ＴＡＣ−ＴＤ８０Ｕ、富士写真フイルム（株）製）をポリビニルアルコールにヨウ素を吸着させ、延伸して作製した偏光子の両面に接着、保護して作製した偏光板と貼り合わせて反射防止付き偏光板をそれぞれ作製した。
この偏光板を用いて反射防止層を最表層に配置した液晶表示装置を作製したところ、反射率が低く、外光の映り込みが少なく、反射像が目立たず、優れた視認性を有していた。
【０２０９】
実施例２１−１
濃度１．５ｍｏｌ／Ｌで、５５℃のＮａＯＨ水溶液中に２分間浸漬した後、中和、水洗した８０μｍの厚さのトリアセチルセルロースフィルム“ＴＡＣ−ＴＤ８０Ｕ”（富士写真フイルム（株）製）と、実施例１−２の反射防止フィルム試料１０２とを、ポリビニルアルコールにヨウ素を吸着させ、延伸して作製した偏光膜の両面に接着、保護して偏光板を作製した。
このようにして作製した偏光板を、反射防止膜側が最表面となるように透過型ＴＮ液晶表示装置搭載のノートパソコンの液晶表示装置｛偏光選択層を有する偏光分離フィルムである住友３Ｍ（株）製“Ｄ−ＢＥＦ”をバックライトと液晶セルとの間に有する｝の視認側の偏光板と貼り代えたところ、いずれも反射率が低く、背景の映りこみが極めて少なく、表示品位の非常に高く、ゴミ付き防止性に優れた表示装置が得られた。
【０２１０】
＜液晶表示装置＞
実施例３１−１〜３１−３
本発明の反射防止フィルム試料１０１、１０２、１０４を夫々貼りつけた透過型ＴＮ液晶セルの、視認側の偏光板の液晶セル側の保護フィルム、及びバックライト側の偏光板の液晶セル側の保護フィルムとして、視野角拡大フィルム「ワイドビューフィルムＳＡ  １２Ｂ」（富士写真フイルム（株）製）を用いたところ、上下左右の視野角が非常に広く、極めて視認性に優れ、表示品位の高い液晶表示装置が得られた。